(57)【要約】【課題】本考案は、ペットハウス及びペットキャリーの兼用が可能なペット収容具を提供することを目的とする。【解決手段】ペット収容具１は、内部空間３４を有する箱状を有し、内部空間３４と外部空間１０とを連通する開口３３が形成された側壁部３１を有する本体部３と、開口３３が開放状態及び閉鎖状態のいずれかの状態となるように本体部３に取り付けられ、開口３３が開放状態及び閉鎖状態のいずれの状態に維持される場合にも本体部３に固定される側壁扉５とを備える。【選択図】図１
0003202807.tif 000002
【実用新案登録請求の範囲】
【請求項１】
内部空間を有する箱状を有し、前記内部空間と外部空間とを連通する開口が形成された側壁部を有する本体部と、
前記開口が開放状態及び閉鎖状態のいずれかの状態となるように前記本体部に取り付けられ、前記開口が前記開放状態及び前記閉鎖状態のいずれの状態に維持される場合にも前記本体部に固定される側壁扉と
を備えるペット収容具。
【請求項２】
前記開口が前記開放状態に維持される場合に、
前記側壁扉は、前記内部空間の上方で前記本体部に収納される
請求項１記載のペット収容具。
【請求項３】
前記本体部は、前記内部空間の上方に設けられて前記内部空間と前記外部空間とを連通する開口が形成された天井部を有し、
前記側壁扉は、前記側壁部の開口が前記開放状態に維持される場合に前記天井部の開口に配置されて前記本体部に固定される
請求項１又は２に記載のペット収容具。
【請求項４】
前記天井部の開口が開放状態及び閉鎖状態のいずれかの状態となるように前記本体部に取り付けられた天井扉を備える
請求項３記載のペット収容具。
【請求項５】
前記天井扉は、
前記側壁部の開口が前記閉鎖状態に維持される場合には前記天井部の開口を直接塞いだ状態で前記本体部に固定され、
前記側壁部の開口が前記開放状態に維持される場合には前記側壁扉に被さった状態で前記本体部に固定される
請求項４記載のペット収容具。
【請求項６】
前記側壁扉は、前記側壁部の開口から前記天井部の開口までの範囲内かつ前記外部空間側において回転自在に前記本体部に取り付けられている
請求項３又は５に記載のペット収容具。
【請求項７】
前記側壁部の開口を形成する前記側壁部の一の端面と、前記天井部の開口を形成する前記天井部の一の端面とは、一続きに形成されており、
前記側壁部の開口を形成する前記一の端面に対向する前記側壁部の対向端面と、前記天井部の開口を形成する前記一の端面に対向する前記天井部の対向端面とは、一続きに形成されている
請求項３から６までのいずれか一項に記載のペット収容具。
【考案の詳細な説明】
【技術分野】
【０００１】
本考案は、犬や猫などの愛玩動物を収容するペット収容具に関する。
【背景技術】
【０００２】
犬や猫などの愛玩動物（以下、「ペット」と称する）を収容して運搬するペットキャリーが知られている（例えば、特許文献１）。このようなペットキャリーは、通院時などのペットの移動用品として用いられるが、使用していない場合に収納場所を確保する必要があるという問題を有している。
【０００３】
また、ペットを飼育するためのペットハウスが知られている（例えば、特許文献２）。一般にペットハウスは、屋外や屋内に固定して使用され、移動させることは意図されていない。また、特許文献２に記載されたペットハウスは、移動させることが意図されているものの、移動時には折り畳む必要がある。このように、折り畳んで移動させるペットハウスは、ペットを収容したままで移動させることができず、移動用のペットキャリーを別途準備する必要があるという問題を有している。
【先行技術文献】
【特許文献】
【０００４】
【特許文献１】特開２０１２−１４７７５５号公報
【特許文献２】特開２００６−１０９８２０号公報
【考案の概要】
【考案が解決しようとする課題】
【０００５】
本考案の目的は、ペットハウス及びペットキャリーの兼用が可能なペット収容具を提供することにある。
【課題を解決するための手段】
【０００６】
本考案の一態様によるペット収容具は、内部空間を有する箱状を有し、前記内部空間と外部空間とを連通する開口が形成された側壁部を有する本体部と、前記開口が開放状態及び閉鎖状態のいずれかの状態となるように前記本体部に取り付けられ、前記開口が前記開放状態及び前記閉鎖状態のいずれの状態に維持される場合にも前記本体部に固定される側壁扉とを備えることを特徴とする。
【考案の効果】
【０００７】
本考案の一態様によれば、ペットハウス及びペットキャリーの兼用が可能となる。
【図面の簡単な説明】
【０００８】
【図１】本考案の一実施形態によるペット収容具１のペットハウスとしての使用態様を示す外観斜視図である。
【図２】本考案の一実施形態によるペット収容具１のペットキャリーとしての使用態様を示す外観斜視図である。
【図３】本考案の一実施形態によるペット収容具１の使用態様を変更する方法を説明するための図である。
【図４】本考案の一実施形態によるペット収容具１の構造を説明するための正投影図である。
【図５】本考案の一実施形態によるペット収容具１の構造を説明するための図であって、ペット収容具１に設けられた上本体３ａの外観斜視図である。
【図６】本考案の一実施形態によるペット収容具１が備える側壁扉５の背面図である。
【図７】本考案の一実施形態によるペット収容具１が備える側壁扉５に設けられた枠部５１の正面図である。
【図８】本考案の一実施形態によるペット収容具１が備える側壁扉５に設けられた枠部５１の背面図である。
【図９】本考案の一実施形態によるペット収容具１が備える側壁扉５の施錠機構５３を構成する構成要素群５３ａを説明する図である。
【図１０】本考案の一実施形態によるペット収容具１が備える側壁扉５の施錠機構５３を構成するツマミ部５３ｂを説明する図である。
【図１１】本考案の一実施形態によるペット収容具１が備える側壁扉５に設けられた中央扉５２の外観構成を示す図である。
【図１２】本考案の一実施形態によるペット収容具１が備える側壁扉５に設けられた中央扉５２の施錠機構５５を説明する図（その１）である。
【図１３】本考案の一実施形態によるペット収容具１が備える側壁扉５に設けられた中央扉５２の施錠機構５５を説明する図（その２）である。
【図１４】本考案の一実施形態によるペット収容具１が備える天井扉７の底面斜視図である。
【図１５】本考案の一実施形態によるペット収容具１が備える天井扉７の固定部材７２の構造を説明する図である。
【図１６】本考案の一実施形態によるペット収容具１が備える天井扉７の固定部材取付部７１６の構造を説明する図である。
【図１７】本考案の一実施形態によるペット収容具１が備える側壁扉５及び天井扉７の開閉方法を説明する模式図である。
【図１８】本考案の一実施形態の変形例１によるペット収容具１が備える側壁扉５及び天井扉７の開閉方法を説明する模式図である。
【図１９】本考案の一実施形態の変形例２によるペット収容具１が備える側壁扉及び天井扉の開閉方法を説明する模式図である。
【考案を実施するための形態】
【０００９】
本考案の一実施形態によるペット収容具について図１から図１９を用いて説明する。本実施形態によるペット収容具は、ペットが居住するペットハウスとして使用できる。さらに、本実施形態によるペット収容具は、ペットを他所に移動させる際にペットを乗せるペットキャリーとしても使用できる。つまり、本実施形態によるペット収容具は、ペットハウスとペットキャリーとを兼用することができる。ここで、「ペットの収容」には、ペットが自らの意志でペット収容具に入ること、及び人などがペットの意志とは無関係にペットをペット収容具に入れることの両方の意味が含まれる。したがって、ペット収容具をペットハウスとして使用している際にペットが自らペット収容具に入ることは、ペットを収容することに相当する。また、ペット収容具をペットキャリーとして使用する際に、ペットの飼い主などの人などがペットを持ってペット収容具に入れることもペットを収容することに相当する。
【００１０】
［ペット収容具の使用態様］
図１に示すように、ペット収容具１は、内部空間３４を有する箱状を有する本体部３を備えている。本体部３は、各辺の部分が曲面状の直方体形状を有している。すなわち、本体部３は、直方体の長辺部分がＲ面取りされた形状を有している。本体部３は、内部空間３４と外部空間１０とを連通する開口３３が形成された側壁部３１と、内部空間３４の上方に設けられて内部空間３４と外部空間１０とを連通する開口３５（図３（ｂ）参照）が形成された天井部３２とを有している。外部空間１０は、ペット収容具１が配置される空間であり、ペット収容具１が例えば屋内に配置された場合にはその屋内の空間が外部空間１０となり、ペット収容具１が例えば屋外に配置された場合にはその屋外の空間が外部空間１０となる。
【００１１】
ペット収容具１は、開口３３が開放状態及び閉鎖状態のいずれかの状態となるように本体部３に取り付けられた側壁扉５と、天井部３２の開口３５が開放状態及び閉鎖状態のいずれかの状態となるように本体部３に取り付けられた天井扉７とを備えている。内部空間３４は、開口３３が開放状態になると、開口３３を介して外部空間１０と連通される。また、内部空間３４は、開口３３が側壁扉５によって閉鎖状態になると、側壁扉５によって開口３３においては外部空間１０と遮断される。内部空間３４は、開口３５が開放状態になると、開口３５を介して外部空間１０と連通される。また、内部空間３４は、開口３５が天井扉７によって閉鎖状態になると、天井扉７によって開口３５においては外部空間１０と遮断される。
【００１２】
図１に示すように、ペット収容具１は、ペットハウスとしての使用態様では、開口３３が開放状態に維持されるのに対し、開口３５が閉鎖状態に維持される。ペット収容具１がペットハウスとして使用されて開口３３が開放状態に維持される場合には、ペット収容具１に備えられた側壁扉５は内部空間３４の上方で本体部３に収納される。また、ペット収容具１がペットハウスとして使用されて開口３３が開放状態に維持される場合には、側壁扉５は天井部３２の開口３５に配置されて本体部３に固定される。また、天井扉７は、ペット収容具１がペットハウスとして使用されて側壁部３１の開口３３が開放状態に維持される場合には側壁扉５に被さった状態で本体部３に固定される。このため、側壁扉５は、開口３３が開放状態及び閉鎖状態のいずれの状態に維持される場合にも本体部３に固定されるようになっている。
【００１３】
このように、ペット収容具１は、側壁部３１の開口３３が開放された状態で、側壁扉５及び天井扉７が本体部３に固定される。これにより、ペットは、開口３３を通って、外部空間１０から内部空間３４に入ったり内部空間３４から外部空間１０に出たりすることができる。側壁扉５は、側壁部３１の開口３３が開放された状態において本体部３に固定されているので、ペットが開口３３を通ってペット収容具１に出入りしている途中にペットに向かって倒れることがない。このため、ペット収容具１は、ペットハウスとして使用されている場合に、側壁扉５がペットに当たってペットが怪我をしてしまうことを防止できる。
【００１４】
詳細は後述するが、ペット収容具１は、側壁部３１に回転自在に設けられてペット収容具１を持ち運ぶ際に用いられるハンドル９を備えている。また、ペット収容具１は、着脱可能に側壁部３１に設けられた固定部品４を備えている。さらに、ペット収容具１は、ペット収容具１に収容されたペットに飲料水を供給するために用いられる給水ボトル取付部品２を備えている。
【００１５】
図２に示すように、ペット収容具１は、ペットキャリーとしての使用態様では、側壁部３１の開口３３及び天井部３２の開口３５（いずれも図３（ｂ）参照）が閉鎖状態に維持される。ペット収容具１がペットキャリーとして使用される場合には、側壁扉５は開口３３を直接塞いだ状態で本体部３に固定され、天井扉７は開口３５を直接塞いだ状態で本体部３に固定される。さらに、ハンドル９は、天井部３２の上方に立ち上げられる。ペットは、側壁部３１の開口３３又は天井部３２の開口３５からペット収容具１の内部空間３４に収容される
【００１６】
これにより、内部空間３４（図１参照）にペットを収容した状態でペット収容具１を移動させても、ペットは、移動中に開口３３や開口３５を通って内部空間３４から外部空間１０に出ることができない。このため、ペット収容具１は、ペットキャリーとして使用されている場合に、内部空間３４からペットが飛び出すのを防止しつつ安全にペットを目的の場所に連れて行くことができる。
【００１７】
ペット収容具１の使用態様をペットハウスからペットキャリーに変更する場合には、図３（ａ）に示すように、まず天井扉７は本体部３に固定されている状態は解除され、本体部３に対して立ち上げられた状態にされる。次に、図３（ｂ）に示すように、側壁扉５が外部空間１０側を通るようにして開口３５から開口３３に向かって本体部３に対して回転させられる。次に、図２に示すように、側壁扉５は、開口３３を塞いだ状態で本体部３に固定される。なお、側壁扉５が開口３３を塞いだ状態で本体部３に固定され、かつ開口３５が天井扉７で塞がれずに開放されている状態において、ペットは開口３５から内部空間３４に収納される。
【００１８】
次に、天井扉７は、開口３５を直接塞いだ状態で本体部３に固定される。これにより、ペット収容具１は、図１に示すペットハウスの使用態様から図２に示すペットキャリーの使用態様に変更される。ハンドル９はペット収容具１を持ち運ぶ際に必要に応じて天井部３２上に立ち上げられる。
【００１９】
ペット収容具１がペットキャリーとしての使用態様からペットハウスとしての使用態様に変更される場合には、ハンドル９が本体部３に対して倒された状態にされてから、天井扉７が本体部３に対して立ち上げられる。次に、側壁扉５は、本体部３に対する固定状態が解除され、外部空間１０側から回転されて開口３５を塞いだ状態で本体部３に配置される。次に、天井扉７は、側壁扉５に被さった状態で本体部３に固定される。これにより、ペット収容具１は、図２に示すペットキャリーの使用態様から図１に示すペットハウスの使用態様に変更される。
【００２０】
このように、ペット収容具１は、側壁扉５及び天井扉７の開閉操作によってペットハウスからペットキャリーへ、あるいはペットキャリーからペットハウスへ使用態様を簡単な作業によって可逆的に変更されることができる。したがって、ペット収容具１は、ペットハウス及びペットキャリーを兼用できる。これにより、ペット収容具１は、ペットキャリーとして使用しない場合にはペットハウスとして使用できるため、従来のペットキャリーのように収納場所を確保する必要がない。言い換えると、ペット収容具１は、収納のために折り畳んだりせずにペットを収容して他所に移動できる。
【００２１】
[ペット収容具の構造]
（ペット収容具の全体構造）
まず、ペット収容具１の全体構造について図１から図３を参照しつつ、図４及び図５を用いて説明する。以下、正面は、開口３３が設けられている側の面とし、背面は、開口３３に対向し貫通長孔３１３（詳細は後述する）が設けられた面とする。また、右側面は、ペット収容具１の正面側に正対した看者から見て右手側の面とし、左側面は、ペット収容具１の正面側に正対した看者から見て左手側の面とする。また、平面（以下、「上面」と称する場合がある）は、開口３５が設けられている側の面とし、底面は、平面に対向し脚部６（詳細は後述する）が設けられた面とする。
【００２２】
図４に示すように、本体部３は、ペット収容具１の使用時に上方に配置される上本体３ａと、ペット収容具１の使用時に下方に配置される下本体３ｂとを有している。内部空間３４（図１参照）は、上本体３ａ及び下本体３ｂとで囲まれた空間である。
【００２３】
上本体３ａには、側壁部３１及び天井部３２が設けられている。上本体３ａには、開口３３及び開口３５（図３（ｂ）参照）が形成されている。上本体３ａには、開口３３を開放状態及び閉鎖状態のいずれかの状態となるように回転可能に側壁扉５が取り付けられている。また、上本体３ａには、開口３５が開放状態及び閉鎖状態のいずれかの状態となるように回転可能に天井扉７が取り付けられている。さらに、上本体３ａには、ハンドル９が回転可能に取り付けられている。
【００２４】
図５に示すように、側壁部３１は、上面側から見て、開口３３によって正面側の中央領域が切断されたような凹形状を有してる。つまり、側壁部３１は、上本体３ａにおいて、右側面寄りの正面、右側面、背面、左側面及び左側面寄り正面の領域を占めている。側壁部３１の底面側、すなわち下本体３ｂに対面する側は、開放端となっている。側壁部３１の底面側には、外側に向かって広がる形状を有する裾部３１５が形成されている。裾部３１５における側壁部３１の開口端は、上本体３ａ及び下本体３ｂを組み合わせた際に下本体３ｂの底板部３０１（詳細は後述する）に平行な面内に含まれるように形成されている。
【００２５】
天井部３２は側壁部３１の上方に設けられている。天井部３２は側壁部３１と一体に形成されている。天井部３２は、上面側から見て、開口３３とほぼ同じ幅の開口３５を中央領域に有し、側壁部３１の上面側の形状に沿う凹形状を有している。開口３３と開口３５とは、一続きに形成されている。開口３３及び開口３５によって上本体３ａに形成された開口は、側壁部３１の正面側の一部及び天井部３２の一部に跨った形状を有している。開口３３は、側壁部３１の右側面側の領域と左側面側の領域とを分断するように形成されている。これに対し、開口３５は、右側面側の領域と左側面側の領域とが分断されずに背面側で接続されて行き止まりとなる袋小路状に形成されている。
【００２６】
図５（ａ）に示すように、開口３３を形成する側壁部３１の端面３１７ｂと開口３５を形成する天井部３２の端面３２２ｂとは一続きに形成されている。図５（ｂ）に示すように、開口３３を形成する端面３１７ｂに対向する側壁部３１の端面３１７ａと、開口３５を形成する端面３２２ｂに対向する天井部３２の端面３２２ａとは、一続きに形成されている。端面３１７ａが「側壁部の一の端面」に相当し、かつ端面３２２ａが「天井部の一の端面」に相当する場合には、端面３１７ｂが「側壁部の対向端面」に相当し、かつ端面３２２ｂが「天井部の対向端面」に相当する。また、端面３１７ｂが「側壁部の一の端面」に相当し、かつ端面３２２ｂが「天井部の一の端面」に相当する場合には、端面３１７ａが「側壁部の対向端面」に相当し、かつ端面３２２ａが「天井部の対向端面」に相当する。
【００２７】
端面３２２ａの背面側の端部と端面３２２ｂの背面側の端部とは、端面３２５で接続されている。さらに、詳細は後述するが、端面３１７ａの底面側の端部と、端面３１７ｂの底面側の端部との間には、下本体３ｂに形成された傾斜領域３０２ａ（図４中に示す正面図参照）が配置される。これにより、本体部３は、側壁部３１の端面３１７ａ、天井部３２の端面３２２ａ、天井部３２の端面３２５、天井部３２の端面３２２ｂ、端面３１７ｂ及び傾斜領域３０２ａによって囲まれた、開口３３及び開口３５によって構成される開口を形成する。開口３３及び開口３５によって構成される開口は、側壁部３１と天井部３２とに跨って形成される。
【００２８】
端面３１７ａには、上面側の端部に軸孔３１６ａが形成されている。端面３１７ｂには、上面側の端部に軸孔３１６ｂが形成されている。軸孔３１６ａは端面３１７ａを貫通する貫通孔であり、軸孔３１６ｂは端面３１７ｂを貫通する貫通孔である。詳細は後述するが、軸孔３１６ａ及び軸孔３１６ｂは、本体部３に対して側壁扉５を回転自在に支持するために第１軸部５１２ａ及び第２軸部５１２ｂが挿入される挿入口となる。端面３１７ａは、軸孔３１６ａが形成された領域において端面３２２ａと一体に形成されている。端面３１７ｂは、軸孔３１６ｂが形成された領域において端面３２２ｂと一体に形成されている。
【００２９】
天井部３２には、貫通孔３２４ａ−１及び貫通孔３２４ａ−２が形成されている。側壁部３１の右側面側に配置された天井部３２の内部空間３４側は、空洞になっており、内部空間３４の一部を構成している。貫通孔３２４ａ−１は、外部空間１０とこの空洞とを連通するように天井部３２の外表面を貫通して形成されている。貫通孔３２４ａ−２は、開口３５とこの空洞とを連通するように端面３２２ａのほぼ中央部を貫通して形成されている。貫通孔３２４ａ−１及び貫通孔３２４ａ−２は一直線上に配置されている。
【００３０】
天井部３２には、貫通孔３２４ｂ−１及び貫通孔３２４ｂ−２が形成されている。側壁部３１の左側面側に配置された天井部３２の内部空間３４側は、空洞になっており、内部空間３４の一部を構成している。貫通孔３２４ｂ−１は、外部空間１０とこの空洞とを連通するように天井部３２の外表面を貫通して形成されている。貫通孔３２４ｂ−２は、開口３５とこの空洞とを連通するように端面３２２ｂのほぼ中央部を貫通して形成されている。貫通孔３２４ｂ−１及び貫通孔３２４ｂ−２は一直線上に配置されている。さらに、貫通孔３２４ｂ−１及び貫通孔３２４ｂ−２は、貫通孔３２４ａ−１及び貫通孔３２４ａ−２と一直線上に配置されている。
【００３１】
詳細は後述するが、貫通孔３２４ａ−１及び貫通孔３２４ａ−２並びに貫通孔３２４ｂ−１及び貫通孔３２４ｂ−２は、ハンドル９を本体部３に対して回転可能に支持するために用いられる。
【００３２】
端面３２２ａには、背面側の端部に軸孔３２８ａが形成されている。また、端面３２２ｂには、背面側の端部に軸孔３２８ｂが形成されている。軸孔３２８ａは端面３２２ａを貫通する貫通孔であり、軸孔３２８ｂは端面３２２ｂを貫通する貫通孔である。軸孔３２８ａ及び軸孔３２８ｂは一直線上に配置されている。詳細は後述するが、軸孔３２８ａ及び軸孔３２８ｂは、本体部３に対して天井扉７を回転自在に支持するために用いられる。端面３２５の一端は軸孔３２８ａ近傍の端面３２２ａに接続され、端面３２５の他端は軸孔３２８ｂ近傍の端面３２２ｂに接続されている。
【００３３】
端面３２２ａには、正面側の端部に貫通孔３２７ａが形成されている。また、端面３２２ｂには、正面側の端部に貫通孔３２７ｂが形成されている。貫通孔３２７ａ及び貫通孔３２７ｂは一直線上に配置されている。詳細は後述するが、貫通孔３２７ａ及び貫通孔３２７ｂは、天井扉７を本体部３に固定するための固定部材７２及び固定部材７３の挿入部として用いられる。
【００３４】
端面３１７ａには、端面３１７ｂ側に向かって屹立する庇部３１８ａが形成されている。また、端面３１７ｂには、端面３１７ａに向かって屹立する庇部３１８ｂが形成されている。庇部３１８ａ及び庇部３１８ｂは、細長い薄板状を有している。庇部３１８ａは、側壁扉５を構成する枠部５１の第１外壁５１１ａの端面５１４ａ（図６参照、詳細は後述する）の形状に倣う形状を有している。庇部３１８ｂは、側壁扉５を構成する枠部５１の第２外壁５１１ｂの端面５１４ｂ（図６参照、詳細は後述する）の形状に倣う形状を有している。これにより、側壁扉５は、庇部３１８ａ及び庇部３１８ｂとの間に隙間を殆ど生じさせずに、開口３３を塞いだ状態で本体部３に固定されることができる。
【００３５】
図５（ｂ）に示すように、下本体３ｂ（図４参照）が配置される側の庇部３１８ａの端部には、第１扉固定部８１ａが形成されている。また、図５（ａ）に示すように、下本体３ｂが配置される側の庇部３１８ｂには、第２扉固定部８１ｂが形成されている。第１扉固定部８１ａは、裾部３１５が設けられた領域内で庇部３１８ａの他の部位よりも正面側に飛び出す鉤爪状に形成されている。第２扉固定部８１ｂは、裾部３１５が設けられた領域内で庇部３１８ｂの他の部位よりも正面側に飛び出す鉤爪状に形成されている。第１扉固定部８１ａ及び第２扉固定部８１ｂは、薄板状の部材で形成されているため、第１扉固定部８１ａ及び第２扉固定部８１ｂの背面側には、正面側に飛び出している分だけの空間が形成される。側壁扉５が本体部３に固定されているときには、側壁扉５に設けられた第１円柱状部５３２ａ（図６参照、詳細は後述する）の先端が第１扉固定部８１ａのこの空間に挿入され、側壁扉５に設けられた第２円柱状部５３２ｂ（図６参照、詳細は後述する）の先端が第２扉固定部８１ｂのこの空間に挿入される。これにより、側壁扉５が本体部３に固定されている場合には、第１円柱状部５３２ａの先端部が第１扉固定部８１ａの背面側の面に引っ掛かる。また、同様に、第２円柱状部５３２ｂの先端部が第２扉固定部８１ｂの背面側の面に引っ掛かる。このため、ペット収容具１に収容されたペットが側壁扉５を正面側に押しても、側壁扉５は開かないようになっている。
【００３６】
図５（ｂ）に示すように、端面３２２ａには、端面３２２ｂ側に向かって屹立する庇部３２３ａが形成されている。庇部３２３ａは庇部３１８ａと一続きに形成されている。また、図５（ａ）に示すように、端面３２２ｂには、端面３２２ａに向かって屹立する庇部３２３ｂが形成されている。庇部３２３ｂは庇部３１８ｂと一続きに形成されている。庇部３２３ａ及び庇部３２３ｂは、細長い薄板状を有している。庇部３２３ａは、開口３３を塞いだ状態において外部空間１０に接する側壁扉５の面（外表面）の右側面側の端部の形状に倣う形状を有している。庇部３２３ｂは、側壁扉５の外表面の左側面側の端部の形状に倣う形状を有している。側壁扉５は、開口３５を塞ぐ場合、外表面が内部空間３４側に向けられる。このため、側壁扉５は、庇部３２３ａ及び庇部３２３ｂに対向する外表面と、庇部３２３ａ及び庇部３２３ｂとの間に隙間を殆ど生じさせずに、開口３５を塞いだ状態で本体部３に配置されることができる。
【００３７】
図５（ｂ）に示すように、端面３２２ａには、庇部３２３ａの上方に段差部３２６ａが形成されている。また、図５（ａ）に示すように、端面３２２ｂには、庇部３２３ｂの上方に段差部３２６ｂが形成されている。段差部３２６ａは、天井扉７を構成する平板部７１の第１側壁７１１ａの端面７１２ａ（図５では不図示、詳細は後述する）が載せられる場所となり、段差部３２６ｂは、天井扉７を構成する平板部７１の第２側壁７１１ｂの端面７１２ｂ（図５では不図示、詳細は後述する）が載せられる場所となる。段差部３２６ａから庇部３２３ａまでの長さは、側壁扉５を構成する枠部５１の第１外壁５１１ａの高さよりも長くなっている。また、段差部３２６ｂから庇部３２３ｂまでの長さは、側壁扉５を構成する枠部５１の第２外壁５１１ｂの高さよりも長くなっている。このため、天井扉７は、開口３５を塞いだ状態の側壁扉５に接触せずに本体部３に固定されることができる。
【００３８】
図５（ｂ）に示すように、貫通孔３２７ａ及び軸孔３２８ａは、一部が段差部３２６ａに接するようにして端面３２２ａに形成されている。貫通孔３２４ａ−２は、段差部３２６ａの一部を切断した状態で端面３２２ａに形成されている。図５（ａ）に示すように、貫通孔３２７ｂ及び軸孔３２８ｂは、一部が段差部３２６ｂに接するようにして端面３２２ｂに形成されている。貫通孔３２４ｂ−２は、段差部３２６ｂの一部を切断した状態で端面３２２ｂに形成されている。
【００３９】
図４に戻って、下本体３ｂは、上面側、すなわち上本体３ａが配置される側が開放された皿形状を有している。下本体３ｂは、上面側から見て、丸面取りされた長方形状を有している。下本体３ｂは、平板状に形成された底板部３０１と、底板部３０１の周縁を囲んで形成された周壁部３０２と、上本体３ａに対面して配置される上本体受部３０３とを有している。底板部３０１は、上面側から見て、丸面取りされた長方形状を有している。底板部３０１は、ペット収容具１の内部空間３４にペットを収容した際に、ペットが立ち上がったり寝そべったりする領域となる。
【００４０】
天井部３２に対向する底板部３０１の面の裏面には、脚部６を取り付ける脚部取付部３０１ａが形成されている（図４中の中段参照）。脚部取付部３０１ａは、中空の角柱（本例では四角柱）形状を有し、底板部３０１の四隅に設けられている。脚部６は、弾性ゴムで形成されている。脚部６は、一部が外部空間１０に飛び出た状態で脚部取付部３０１ａの中空部に押し込まれて下本体３ｂに取り付けられる（図４中の中段参照）。
【００４１】
周壁部３０２は、底板部３０１と一体に形成されており、底板部３０１の周縁から上面側に向かって屹立する構造を有している。周壁部３０２は、底板部３０１側に傾斜する傾斜領域３０２ａを有している（図４中に示す正面図参照）。傾斜領域３０２ａは、上本体３ａ及び下本体３ｂを組み合わせた際に開口３３の形成領域に対応する領域に設けられている。傾斜領域３０２ａは、正面側から見て、開口３３の幅方向において開口３３の両端側から中央側に向かって湾曲して傾斜するＶ字形状を有している。
【００４２】
上本体受部３０３は、傾斜領域３０２ａを除いて周壁部３０２上に形成されている。上本体受部３０３は、周壁部３０２と一体に形成されている。上本体３ａ及び下本体３ｂは、互いの開口端を向い合せた状態で組み合わされる。上本体受部３０３は、傾斜領域３０２ａとともに下本体３ｂの開口端を構成している。側壁部３１に設けられた裾部３１５は、上本体３ａの開口端を構成している。このため、上本体３ａ及び下本体３ｂが組み合わされると、上本体受部３０３は裾部３１５に向き合った状態で接触される。裾部３１５及び上本体受部３０３は外側に向かって広がる形状を有している。このため、裾部３１５及び上本体受部３０３が形成されていない場合と比較して、上本体３ａ及び下本体３ｂの接触面積が大きくなる。これにより、上本体３ａと下本体３ｂとを組み合わせ際の本体部３の安定感が増加する。
【００４３】
上本体受部３０３には、底面側から上面側に向かって貫通する複数（本実施形態では９個）の貫通孔が形成されている。裾部３１５には、上本体３ａ及び下本体３ｂを組み合わせた際に、上本体受部３０３の貫通孔の形成領域に対応する位置に複数（本実施形態では９個）のねじ穴が形成されている。上本体３ａ及び下本体３ｂは、上本体受部３０３の複数の貫通孔から挿入されて裾部３１５の複数のねじ穴に固定された複数（本実施形態では９個）のねじＮ１（図４中に示す底面図参照）によって互いに固定されている。このように、本実施形態では、上本体３ａ及び下本体３ｂは複数のねじＮ１によって固定されている。このため、ペット収容具１をペットキャリーとして使用している際に、上本体３ａから下本体３ｂが外れてしまうのを防止できる。
【００４４】
側壁扉５は、側壁部３１の開口３３から天井部３２の開口３５までの範囲内かつ外部空間１０側において回転自在に本体部３に取り付けられている（図３参照）。側壁扉５は、側壁部３１の上面側の端部に設けられた第１軸部５１２ａ及び第２軸部５１２ｂを回転軸として約２７０°の範囲内において回転自在に上本体３ａに取り付けられている。側壁扉５は、開口３３を塞いで本体部３に固定された状態とするための施錠機構５３を有している。さらに、側壁扉５は、枠部５１と、枠部５１で囲まれた開口が開放状態及び閉鎖状態のいずれかの状態となるように枠部５１に取り付けられた中央扉５２とを有している。側壁扉５及び施錠機構５３の詳細な構造は後述する。
【００４５】
天井扉７は、天井部３２の開口３５上に配置された状態（図４参照）から天井部３２の上方で立ち上げられた状態（図３（ｂ）参照）までの範囲内かつ外部空間１０側において回転自在に本体部３に取り付けられている。天井扉７は、天井部３２の端面３２２ａ，３２２ｂに形成された軸孔３２８ａ，３２８ｂで支持されて約９０°の範囲内において回転自在に上本体３ａに取り付けられている。天井部３２は、開口３５の開口形状に倣う外形を有する平板部７１と、平板部７１で開口３５を塞いだ状態に固定するための固定部材７２，７３とを有している。固定部材７２は正面かつ右側面側に設けられ、固定部材７３は正面かつ左側面側に設けられている。天井扉７、固定部材７２及び固定部材７３の詳細な構造は後述する。
【００４６】
図４に示すように、側壁部３１は、右側面側に形成された複数（本実施形態では５個）の貫通長孔３１１と、左側面側に形成された複数（本実施形態では５個）の貫通長孔３１２と、背面側に形成された複数（本実施形態では７個）の貫通長孔３１３とを有している。貫通長孔３１１，３１２，３１３は、上面側から底面側に向かう方向（又はその逆方向）に長辺が沿うように配置されている。複数の貫通長孔３１１及び複数の貫通長孔３１２は、正面側から背面側に向かう方向（又はその逆方向）に等間隔に並んで配置されている。複数の貫通長孔３１３は、右側面側から左側面側に向かう方向（又はその逆方向）に等間隔に並んで配置されている。貫通長孔３１１，３１２，３１３は、内部空間３４と外部空間１０（図１参照）とを連通する開口を形成している。このため、貫通長孔３１１，３１２，３１３は、外部空間１０から内部空間３４に空気を供給する空気窓としての機能を発揮する。また、貫通長孔３１１，３１２，３１３は、ペット収容具１に収容されたペットの様子を確認するための確認窓としての機能も発揮する。
【００４７】
図４に示すように、ペット収容具１は、側壁部３１に着脱可能に取り付けられた固定部品４を備えている。固定部品４は、ペット収容具１をペットキャリーとして使用する際に、車両のシートベルトを利用してペット収容具１を車両の座席に固定するために用いられる。固定部品４は、短辺側の両端が所定の間隙を設けて互いに対向するように折り曲げられた長方形状を有している。この両端を折り返した折り返し部分と、この折り返し部分に対向する固定部品４の領域との間には、シートベルトを差し込めるだけの隙間が設けられている。また、固定部品４は、貫通長孔３１１及び貫通長孔３１２のいずれかに取り付けて使用される。固定部品４は、側壁部３１側に向けられる面に形成されて、貫通長孔３１１又は貫通長孔３１２に挿入するための挿入部（不図示）を有している。挿入部は、貫通長孔３１１及び貫通長孔３１２の長辺よりも短くかつ短辺よりも長い長辺と、貫通長孔３１１及び貫通長孔３１２の短辺よりも短い短辺とを有する長方形状に形成されている。また、挿入部とこの挿入部が形成された固定部品４の裏面との間には、側壁部３１の厚さよりも長い間隙が設けられている。このため、複数の貫通長孔３１１のうちの例えば中央に配置された貫通長孔３１１に挿入部を挿入した後に固定部品４が９０°回転されると、挿入部が貫通長孔３１１から抜けなくなり、固定部品４は図４に示す状態で本体部３に固定される。固定部品４は同様の方法により、貫通長孔３１２にも取り付けることができる。
【００４８】
図４に示すように、ペット収容具１は、側壁部３１に着脱可能に取り付けられた給水ボトル取付部品２を備えている。給水ボトル取付部品２は、飲料水が供給される水供給部２０と、水供給部２０から供給された飲料水が流出する水流出部２２と、給水ボトル取付部品２を側壁部３１に支持する支持部２１とを有している。支持部２１の一端は、水供給部２０の側面に接続されている。支持部２１の他端は、側壁部３１の右側面側に形成された貫通孔（不図示）に挿入されて側壁部３１に固定されている。支持部２１は、水流出部２２の先端部が正面側に設けられた貫通長孔３１１を通って内部空間３４に突出するように給水ボトル取付部品２を支持する。
【００４９】
水供給部２０は円筒形状を有している。水供給部２０には、給水ボトルの水が流出する流出口が挿入されて取り付けられるようになっている。水流出部２２は円筒形状を有している。水流出部２２の飲料水が流れる内部空間と、水供給部２０の飲料水が流れる内部空間とは、水流出部２２の側壁から底部に亘って形成された開口によって連通されている。内部空間３４に突出する水流出部２２の先端には球状の止水部品（不図示）が設けられている。この止水部品は、水流出部２２の内部空間で水流出部２２の延伸方向に動くことができるように設けられている。この止水部品は、水流出部２２の内部空間に流入された飲料水と重力とによって水流出部２２の先端側に押さえ付けられ、一部が水流出部２２の先端から飛び出した状態で飲料水を止水する。ペット収容具１に収容されたペットが飲料水を飲むために、内部空間３４に突出された水流出部２２の先端を舌で舐めると、止水部品がペットの舌で水供給部２０側に押し戻される。これにより、水流出部２２の先端と止水部品との間に隙間が生じて、水流出部２２の内部空間に流通された飲料水が水流出部２２の先端から流出され、ペットが飲料水を飲むことができる。
【００５０】
図４に示すように、ペット収容具１は、本体部３に取り付けられたハンドル９を備えている。ハンドル９は、ペット収容具１を移動させる際にペットの飼い主などの人などが把持する部分である。ハンドル９は、細長い円筒状を有し、両端が同じ方向に折り曲げられたコの字状に形成されている。ハンドル９の両端は、天井部３２における左右両側面の中点近傍から背面側までの長さとほぼ同じ長さ分だけ折り曲げられている。ハンドル９は、互いに対向する両端部の面に円柱状の突起部を有している。ハンドル９は、天井部３２に設けられた貫通孔３２４ａ−１，３２４ｂ−１（図５参照）にこの突起部が回転可能に挿入されている。この突起部の先端には、貫通孔３２４ａ−２，３２４ｂ−２から挿入されたねじ（不図示）がそれぞれ挿入されて固定されている。この突起部の先端は、貫通孔３２４ａ−２，３２４ｂ−２から内部空間３４に突出している。このねじのねじ山の外径は貫通孔３２４ａ−１，３２４ｂ−１の内径よりも大きくなっている。これにより、ハンドル９は、貫通孔３２４ａ−１，３２４ｂ−１を回転軸として本体部３に対して回転可能であるともに、貫通孔３２４ａ−１，３２４ｂ−１から外れないようになっている。
【００５１】
図５に示すように、天井部３２の左右両側面の中点近傍から背面側には、ハンドル９の形状に倣うハンドル載置部３２１が形成されている。ハンドル載置部３２１は、天井部３２の上面側から底面側に向かう段差形状を有している。ハンドル載置部３２１の段差は、ハンドル９の太さとほぼ同じ大きさに形成されている。このため、ハンドル載置部３２１にハンドルを載置すると、天井部３２の上方にハンドル９が飛び出ないようになっている。天井部３２の上方に立ち上げられたハンドル９の端部は、ハンドル載置部３２１の段差によって正面側に向かう回転が制限される。これにより、ハンドル９は、ハンドル載置部３２１に載置された状態から天井部３２の上方までの約９０°の範囲内で回転できる。
【００５２】
（側壁扉の構造）
次に、側壁扉５の詳細な構造について、図５を参照しつつ、図６から図１３を用いて説明する。図６は、側壁扉５の背面図である。図６では、理解を容易にするため、施錠機構５３に設けられたカバー部５３１及びカバー部５３１を側壁扉５に取り付けるためのねじＮ３の図示は省略されている。図７は、枠部５１の正面図である。図８は、枠部５１の背面図である。
【００５３】
図６に示すように、側壁扉５に設けられた枠部５１は、中央領域に開口５１９（図７参照）が形成された薄板形状を有している。枠部５１の周囲には側壁が形成されている。枠部５１の周囲の側壁のうちの左右側面側の端部には、内部空間３４側に突出する薄板状の第１外壁５１１ａ及び第２外壁５１１ｂが形成されている。第１外壁５１１ａは右側面側に設けられ、第２外壁５１１ｂは左側面側に設けられている。庇部３１８ａ（図５（ｂ）参照）の正面側は、第１外壁５１１ａの端面５１４ａに倣う形状に形成されている。庇部３１８ｂ（図５（ａ）参照）の正面側は、第２外壁５１１ｂの端面５１４ｂに倣う形状に形成されている。このため、側壁扉５が開口３３を塞いだ状態で本体部３に固定されると、第１外壁５１１ａの端面５１４ａの全面が庇部３１８ａの正面側に接触し、第２外壁５１１ｂの端面５１４ｂの全面が庇部３１８ｂの正面側に接触する。
【００５４】
第１外壁５１１ａの上面側には、右側面側に向かって突出し、円柱形状を有する第１軸部５１２ａが形成されている。また、第２外壁５１１ｂには、左側面側に向かって突出し、円柱形状を有する第２軸部５１２ｂが形成されている。第１軸部５１２ａは第１外壁５１１ａの上面側の端部に設けられ、第２軸部５１２ｂは第２外壁５１１ｂの上面側の端部に設けられている。第１軸部５１２ａ及び第２軸部５１２ｂは一直線上に配置されている。
【００５５】
第１軸部５１２ａは、軸孔３１６ａ（図５（ｂ）参照）の内径より短い直径を有し、第２軸部５１２ｂは、軸孔３１６ｂ（図５（ａ）参照）の内径より短い直径を有している。このため、第１軸部５１２ａが軸孔３１６ａに挿入され、第２軸部５１２ｂが軸孔３１６ｂに挿入されると、側壁扉５は第１軸部５１２ａ及び第２軸部５１２ｂを回転軸として本体部３に対して所定の範囲で回転可能に支持される。
【００５６】
庇部３２３ａ（図５（ｂ）参照）の上面側は、第１外壁５１１ａ近傍の枠部５１の正面側の形状に倣う形状に形成されている。庇部３２３ｂ（図５（ａ）参照）の上面側は、第２外壁５１１ｂ近傍の枠部５１の正面側の形状に倣う形状に形成されている。側壁扉５が第１軸部５１２ａ及び第２軸部５１２ｂを回転軸として本体部３に対して回転され、開口３５を塞いだ状態で本体部３に配置されると、庇部３２３ａは、正面側の全面で枠部５１の正面側と接触し、庇部３２３ｂは、正面側の全面で枠部５１の正面側と接触する。
【００５７】
側壁扉５の幅（左右方向の長さ）は、開口３３及び開口３５の幅（左右方向の長さ）よりも若干短く形成されている。これにより、側壁扉５は、本体部３に対して円滑に回転できる。側壁扉５は、開口３３及び開口３５のいずれか一方を塞いだ状態で本体部３に配置されたときに、左側面側及び右側面側のいずれか一方にずれてしまう場合がある。庇部３１８ａ、庇部３１８ｂ、庇部３２３ａ及び庇部３２３ｂのそれぞれの幅（左右方向の長さ）は、側壁扉５の左右方向のこのずれ量よりも長くなっている。このため、側壁扉５が右側面側及び左側面側の一方に片寄って開口３３を塞いだ状態で本体部３に固定されても、枠部５１の第１外壁５１１ａと側壁部３１の端面３１７ａとの間に内部空間３４と外部空間１０とを連通する隙間が生じない。同様に、枠部５１の第１外壁５１１ａと側壁部３１の端面３１７ｂとの間に内部空間３４と外部空間１０とを連通する隙間が生じない。また、側壁扉５が右側面側及び左側面側の一方に片寄って開口３５を塞いだ状態で本体部３に配置されても、枠部５１の第１外壁５１１ａと天井部３２の端面３２２ａとの間に内部空間３４と外部空間１０とを連通する隙間が生じない。同様に、枠部５１の第２外壁５１１ｂと天井部３２の端面３２２ｂとの間に、内部空間３４と外部空間１０とを連通する隙間が生じない。これにより、ペット収容具１は、ペット収容具１に収容されたペットが側壁扉５と本体部３との隙間を利用して側壁扉５を抉じ開けることができないようになっている。
【００５８】
図７に示すように、枠部５１に形成された開口５１９は馬蹄形状を有している。枠部５１には、開口５１９の上面側の一部の領域を除いて開口５１９を囲み、第１外壁５１１ａ及び第２外壁５１１ｂと同方向に突出する第１内壁５１３ａ及び第２内壁５１３ｂが形成されている（図８参照）。第１内壁５１３ａは右側面側に配置され、第２内壁５１３ｂは左側面側に配置されている。上面側における第１内壁５１３ａと第２内壁５１３ｂとの間には、中央扉５２の施錠機構５５（詳細は後述する）が設けられている。第１内壁５１３ａ及び第２内壁５１３ｂの背面側の端部は開口５１９側に折り曲げられている。中央扉５２が開口５１９を塞いだ状態で枠部５１に固定されると、中央扉５２の周壁部の端面は、第１内壁５１３ａ及び第２内壁５１３ｂの先端部の折り返し部に接触するようになっている。これにより、中央扉５２が内部空間３４まで回転できないようになる。つまり、第１内壁５１３ａ及び第２内壁５１３ｂの先端部の折り返し部は、中央扉５２が背面側に押されても内部空間３４に食い込んでしまうのを防止する食い込み防止部としての機能を発揮するようになっている。
【００５９】
枠部５１の正面側かつ開口５１９の底面側には、側壁扉５の施錠機構５３を構成するツマミ部５３ｂ（図１０参照、詳細は後述する）が配置されるツマミ配置部５４５が設けられている。ツマミ配置部５４５は、背面側に向かって凹んで形成され、正面側から見て、円形状の内壁面を有するツマミ挿入部５４５ｃを有している。ツマミ挿入部５４５ｃには、開口５４５ｄが形成されている。ツマミ配置部５４５の詳細な構造は後述する。
【００６０】
また、枠部５１の正面側かつ開口５１９の底面側には、ツマミ配置部５４５を挟んで設けられ、中央扉５２が回転自在に取り付けられる扉取付部５１７ａ，５１７ｂが配置されている。扉取付部５１７ａはツマミ配置部５４５に対して右側面側に配置され、扉取付部５１７ｂはツマミ配置部５４５に対して左側面側に配置されている。扉取付部５１７ａは、底面側よりも上面側の方が背面側に向かって傾斜して形成されている。扉取付部５１７１ａの右側面側には、第１内壁５１３ａが延出しており、この延出した第１内壁５１３ａの延出部が扉取付部５１７ａの右側面側の壁面を構成している。扉取付部５１７ｂは、底面側よりも上面側の方が背面側に向かって傾斜して形成されている。扉取付部５１７ｂの左側面側には、第２内壁５１３ｂが延出しており、この延出した第２内壁５１３ｂの延出部が扉取付部５１７ｂの左側面側の壁面を構成している。
【００６１】
扉取付部５１７ａに延出した第１内壁５１３ａの延出部から扉取付部５１７ａの正面側の一部に跨って、軸孔５１８ａが形成されている。扉取付部５１７ｂに延出した第２内壁５１３ｂの延出部から扉取付部５１７ｂの正面側の一部に跨って、軸孔５１８ｂが形成されている。詳細は後述するが、中央扉５２は、軸孔５１８ａ及び軸孔５１８ｂで回転自在に支持されて枠部５１に取り付けられている。
【００６２】
図８に示すように、枠部５１の背面側かつ枠部５１の開口５１９の下方であってツマミ配置部５４５及び扉取付部５１７ａ，５１７ｂと重なる領域には、側壁扉５の施錠機構５３が取り付けられる施錠機構取付部５４が設けられている。施錠機構５３の構成要素のうち、ツマミ部５３ｂは正面側から施錠機構取付部５４に取り付けられ、残余の構成要素である構成要素群５３ａは背面側から施錠機構取付部５４に取り付けられる。したがって、施錠機構５３は、枠部５１の正面側及び背面側の両方から枠部５１を挟んだ状態で施錠機構取付部５４に取り付けられる。施錠機構取付部５４の詳細な構成については後述する。
【００６３】
（側壁扉の施錠機構）
側壁扉５の施錠機構５３について図５から図８を参照しつつ、図９及び図１０を用いて説明する。図９は、側壁扉５の施錠機構５３の構成要素のうち、背面側から施錠機構取付部５４に取り付けられる構成要素群５３ａの外観図である。図９（ａ）は、施錠機構５３の構成要素群５３ａの右上方から見た斜視図であり、図９（ｂ）は、施錠機構５３の構成要素群５３ａの正面図であり、図９（ｃ）は、施錠機構５３の構成要素群５３ａの平面図である。図１０は、施錠機構５３の構成要素のうちのツマミ部５３ｂの外観斜視図である。図１０（ａ）は、ツマミ部５３ｂの正面図であり、図１０（ｂ）は、ツマミ部５３ｂの右斜め正面から見た外観図であり、図１０（ｃ）は、ツマミ部５３ｂの右斜め背面から見た外観図である。
【００６４】
施錠機構５３及び施錠機構取付部５４の詳細な構造を説明する前に、施錠機構５３の施錠機構及び開錠機構を簡単に説明する。図６は、施錠機構５３が側壁扉５を施錠しているとき、すなわち側壁扉５が開口３３を塞いで本体部３に固定されているときの側壁扉５を示している。施錠機構５３が側壁扉５を施錠している状態では、弾性部材５３３ａの弾性力によって第１円柱状部５３２ａの先端が側壁扉５に設けられた第１扉固定部８１ａ（図５参照）の背面側に挿入された状態で維持される。また、施錠機構５３が側壁扉５を施錠している状態では、弾性部材５３３ｂの弾性力によって第２円柱状部５３２ｂの先端が側壁扉５に設けられた第２扉固定部８１ｂ（図５参照）の背面側に挿入された状態で維持される。これにより、開口３３が開放状態となるように側壁扉５が引き上げられようとしても、第１円柱状部５３２ａの先端が第１扉固定部８１ａの背面側の面に引っ掛かり、第２円柱状部５３２ｂの先端が第２扉固定部８１ｂの背面側の面に引っ掛かるので、側壁扉５を開けることができない。このように、施錠機構５３は施錠され、側壁扉５を閉じることができる。
【００６５】
一方、施錠機構５３が側壁扉５を開錠する際は、ツマミ部４３ｂ（図６では不図示）が左回り（反時計回り、図６では右回り）に回転される。ツマミ部４３ｂが左回りに回転するのに伴って、図６に示すツマミ取付部５３５に設けられたベース部３５３ａも左回り（図６では右回り（時計回り））に回転する。ベース部３５３ａが左回りに回転すると、弾性部材５３３ａが収縮して第１円柱状部５３２ａがベース部３５３ａの周方向に沿って上面側から第２円柱状部５３２ｂが設けられている側に移動する。また、ベース部３５３ａが左回りに回転すると、弾性部材５３３ｂが収縮して第２円柱状部５３２ｂがベース部３５３ａの周方向に沿って底面側から第１円柱状部５３２ａが設けられている側に移動する。そうすると、第１円柱状部５３２ａの先端は第１扉固定部８１ａの背面側から縁部５４１の内側に引き入れられ、第２円柱状部５３２ｂの先端は第２扉固定部８１ｂの背面側から施錠機構取付部５４の縁部５４１の内側に引き入れられる。これにより、第１円柱状部５３２ａの先端は第１扉固定部８１ａの背面側に引っ掛からなくなり、第２円柱状部５３２ｂの先端は第２扉固定部８１ｂの背面側に引っ掛からなくなる。その結果、開口３３が開放状態となるように側壁扉５が引き上げられると、側壁扉５は第１軸部５１２ａ及び第２軸部５１２ｂを回転軸として回転して開口３３を開放状態とすることができる。このように、施錠機構５３は開錠され、側壁扉５を開けることができる。
【００６６】
次に、施錠機構５３及び施錠機構取付部５４の詳細な構造について説明する。図９（ａ）及び図９（ｃ）に示すように、施錠機構５３の構成要素群５３ａは、ほぼ中央に配置されツマミ部５３ｂ（図１０参照）が取り付けられるツマミ取付部５３５を有している。また、図９に示すように、構成要素群５３ａは、ツマミ取付部５３５に回転自在に取り付けられ右側面側に延在する第１円柱状部５３２ａと、ツマミ取付部５３５に回転自在に取り付けられ左側面側に延在する第２円柱状部５３２ｂとを有している。また、構成要素群５３ａは、第１円柱状部５３２ａの可動範囲を規制する可動規制部５３６ａと、第２円柱状部５３２ｂの可動範囲を規制する可動規制部５３６ｂとを有している。また、構成要素群５３ａは、第１円柱状部５３２ａに取り付けられた弾性部材５３３ａと、ツマミ取付部５３５側で弾性部材５３３ａに固定されて弾性部材５３３ａの移動を防止する移動防止部材５３４ａを有している。また、構成要素群５３ａは、第２円柱状部５３２ｂに取り付けられた弾性部材５３３ｂと、ツマミ取付部５３５側で弾性部材５３３ｂに固定されて弾性部材５３３ｂの移動を防止する移動防止部材５３４ｂとを有している。
【００６７】
また、構成要素群５３ａは、構成要素群５３ａのうち最も背面側に配置されるカバー部５３１を有している。カバー部５３１には、正面側に向かって突出する直方体形状の第１突起部５３７ａ，５３７ｂ及び第２突起部５３８ａ，５３８ｂが形成されている。図９（ｂ）に示すように、第１突起部５３７ａ及び第２突起部５３８ａは、正面側から見て、第１円柱状部５３２ａに重なって配置されている。第１突起部５３７ａは、第２突起部５３８ａよりも右側面側に配置されている。第１突起部５３７ｂ及び第２突起部５３８ｂは、正面側から見て、第２円柱状部５３２ｂに重なって配置されている。第１突起部５３７ｂは、第２突起部５３８ｂよりも左側面側に配置されている。カバー部５３１には、周縁に複数（本実施形態では８個）の貫通孔が形成されており、カバー部５３１を施錠機構取付部５４に固定するためのねじＮ３が挿入されるようになっている。
【００６８】
ツマミ取付部５３５は、薄板状に形成されたベース部５３５ａを有している。ベース部５３５ａは、中央領域にベース部５３５ａを貫通して形成された中央孔５３５Ｈｃと、中央孔５３５Ｈｃを挟んで周縁領域に形成された第１周縁孔５３５Ｈ１及び第２周縁孔５３５Ｈ２とを有している。中央孔５３５Ｈｃ、第１周縁孔５３５Ｈ１及び第２周縁孔５３５Ｈ２は、円形状の開口形状を有している。中央孔５３５Ｈｃは、第１周縁孔５３５Ｈ１及び第２周縁孔５３５Ｈ２のそれぞれの開口面積よりも大きい開口面積を有している。第１周縁孔５３５Ｈ１及び第２周縁孔５３５Ｈ２は、互いに同じ大きさの開口面積を有している。ベース部５３５ａには、ベース部５３５ａの底面側の周縁の一部を円弧の帯状に取り除いて形成された括れ部５３５ｆ，５３５ｇと、ベース部５３５ａの平面側の周縁の一部を円弧の帯状に取り除いて形成された括れ部５３５ｈ，５３５ｉとが設けられている。詳細は後述するが、括れ部５３５ｆ，５３５ｇ，５３５ｈ，５３５ｉは、ツマミ部５３ｂの回転範囲を規制するために設けられている。
【００６９】
ベース部３５３には、正面側に向かって突出し所定の間隙を設けて向き合う円弧状に形成された円弧状突起部５３５ｃが設けられている。円弧状突起部５３５ｃは中央孔５３５Ｈｃの開口端の一部に設けられている。構成要素群５３ａを施錠機構取付部５４に取り付けると、円弧状突起部５３５ｃはツマミ挿入部５４５ｃ（詳細は後述する）に設けられた開口５４５ｄに挿入される。円弧状突起部５３５ｃは、開口５４５ｄが形成されたツマミ挿入部５４５ｃの面とほぼ面一の状態で開口５４５ｄに配置される。
【００７０】
ツマミ取付部５３５は、中央孔５３５Ｈｃに連通する内部空間を有する中央筒部５３５ｂを有している。中央筒部５３５ｂは円筒形状を有している。中央筒部５３５ｂは、カバー部５３１が配置される側に向かってベース部５３５ａから突出して形成されている。中央筒部５３５ｂは、中央孔５３５Ｈｃの内壁面と中央筒部５３５ｂの内壁面との境界に段差が生じないように形成されている。このため、中央孔５３５Ｈｃ及び中央筒部５３５ｂの内壁面は、中央孔５３５Ｈｃから中央筒部５３５ｂに亘って平滑な曲面となる。
【００７１】
中央孔５３５Ｈｃ及び中央筒部５３５ｂには、円弧状突起部５３５ｃの間隙が設けられた位置にこの間隙と同じ幅の溝が形成されている。円弧状突起部５３５ｃの間隙並びに中央孔５３５Ｈｃ及び中央筒部５３５ｂの溝は、ツマミ部５３ｂを案内する案内溝として機能するようになっている。
【００７２】
ここで、ツマミ部５３ｂについて説明する。図１０（ａ）に示すように、ツマミ部５３ｂは、円盤状のベース部５３９ａと、ベース部５３９ａから正面側に突出しベース部５３９ａの中心を通る一直線状のツマミ部材５３９ｂとを有している。ツマミ部材５３９ｂは、ツマミ部５３ｂを回転させる際にペットの飼い主などの人が摘まむ部分である。図１０（ｂ）に示すように、ツマミ部材５３９ｂは、外周側が太く内周側が薄く形成されている。これにより、ツマミ部材５３９ｂの内周側を摘まんだ指が外周側に引っ掛かるので、ツマミ部５３ｂは人がツマミ部材５３９ｂを摘まんで回転し易くなっている。
【００７３】
図１０（ｃ）に示すように、ツマミ部５３ｂは、ベース部５３９ａからツマミ部材５３９ｂとは反対側に突出する筒状部５３９ｃを有している。筒状部５３９ｃは、先端部からベース部３５９ａに向かうねじ穴５３９ｄが形成されている。筒状部５３９ｃの外表面には、直方体部５３９ｅ、５３９ｆが形成されている。直方体部５３９ｅは筒状部５３９ｃの外表面から上面側に向かって突出し、直方体部５３９ｆは筒状部５３９ｃの外表面から底面側に向かって突出して形成されている。直方体部５３９ｅ、５３９ｆは、円弧状突起部５３５ｃの間隙並びに中央孔５３５Ｈｃ及び中央筒部５３５ｂの溝に挿入できる大きさに形成されている。直方体部５３９ｅが上面側に形成された円弧状突起部５３５ｃの間隙並びに中央孔５３５Ｈｃ及び中央筒部５３５ｂの溝によって案内され、直方体部５３９ｆが底面側に形成された円弧状突起部５３５ｃの間隙並びに中央孔５３５Ｈｃ及び中央筒部５３５ｂの溝によって案内されて、ツマミ部５３ｂが中央筒部５３５ｂに挿入される。直方体部５３９ｅ及び直方体部５３９ｆは中央孔５３５Ｈｃ及び中央筒部５３５ｂの溝に挟み込まれるため、ツマミ部５３ｂを回転させたときに中央筒部５３５ｂ内でツマミ部５３ｂが空回りすることがない。これにより、ベース部５３５ａはツマミ部５３ｂの回転に同期して確実に回転される。
【００７４】
ツマミ部４３ｂの筒状部５３９ｃが形成されたベース部５３９ａの面は、ツマミ部材５３９ｂ側に若干反り返っている。また、ベース部５３５ａがツマミ配置部５４５に配置されると、円弧状突起部５３５ｃの先端はツマミ挿入部５４５ｃの開口５４５ｄが形成された面から飛び出て配置される。このため、筒状部５３９ｃが円弧状突起部５３５ｃを介してツマミ取付部５３５の中央筒部５３５ｂに挿入され、ねじ穴５３９ｄに挿入されたねじＮ２によってツマミ取付部５３５に取り付けられても、筒状部５３９ｃが形成されたベース部５３９ａの面は、ツマミ挿入部５４５ｃの開口５４５ｄが形成された面とほとんど接触しない。これにより、ツマミ部４３ｂは円滑に回転することができ、ペット収容具１はペット収容具１の使用者がストレスを感じるのを防止できる。
【００７５】
図９に戻って、ツマミ取付部５３５は、第１周縁孔５３５Ｈ１に連通する内部空間を有する第１周縁筒部５３５ｄを有している。第１周縁筒部５３５ｄは円筒形状を有している。第１周縁筒部５３５ｄは、カバー部５３１が配置される側に向かってベース部５３５ａから突出して形成されている。第１周縁筒部５３５ｄは、中央筒部５３５ｂと同じ方向に突出して形成されている。第１周縁筒部５３５ｄは、括れ部５３５ｇよりも括れ部５３５ｈ側に偏って設けられている。
【００７６】
ツマミ取付部５３５は、第２周縁孔５３５Ｈ２に連通する内部空間を有する第２周縁筒部５３５ｅを有している。第２周縁筒部５３５ｅは円筒形状を有している。第２周縁筒部５３５ｅは、カバー部５３１が配置される側に向かってベース部５３５ａから突出して形成されている。第２周縁筒部５３５ｅは、中央筒部５３５ｂと同じ方向に突出して形成されている。第２周縁筒部５３５ｅは、括れ部５３５ｉよりも括れ部５３５ｇ側に偏って設けられている。第２周縁筒部５３５ｅ及び第１周縁筒部５３５ｄは中央筒部５３５ｂを挟んで設けられている。
【００７７】
第１円柱状部５３２ａは、一端部から底面側に向かって一直線状に伸び、第２突起部５３８ａ近傍で上面側に折れ曲がってベース部５３５ａまで伸び、第１周縁筒部５３５ｄの背面側からベース部５３５ａに向かって折れ曲がる形状を有している。第１円柱状部５３２ａの他端部は第１周縁筒部５３５ｄに設けられた内部空間に回転自在に挿入されている。
【００７８】
第２円柱状部５３２ｂは、一端部からツマミ取付部５３５に向かってカバー部５３１の上面側の辺にほぼ平行に一直線状に伸び、第２突起部５３８ｂ近傍で底面側に折れ曲がってベース部５３５ａまで伸び、第２周縁筒部５３５ｅの背面側からベース部５３５ａに向かって折れ曲がる形状を有している。第２円柱状部５３２ｂの他端部は第２周縁筒部５３５ｅに設けられた内部空間に回転自在に挿入されている。
【００７９】
弾性部材５３３ａは例えば弦巻ばねである。弾性部材５３３ａは第１円柱状部５３２ａに巻き回されて配置されている。弾性部材５３３ａの右側面側の端部は、可動規制部５３６ａに固定されている。可動規制部５３６ａは、第１円柱状部５３２ａの外表面から上面側及び底面側にそれぞれ半円形状に突出する薄板形状を有している。弾性部材５３３ａの左側面側に設けられた移動防止部材５３４ａは円環状を有している。移動防止部材５３４ａは例えばワッシャである。移動防止部材５３４ａは、中央に設けられた開口に第１円柱状部５３２ａが挿入されて第１円柱状部５３２ａに配置されている。移動防止部材５３４ａは弾性部材５３３ａの左側面側の端部に固定されている。
【００８０】
弾性部材５３３ｂは例えば弦巻ばねである。弾性部材５３３ｂは第２円柱状部５３２ｂに巻き回されて配置されている。弾性部材５３３ｂの左側面側の端部は、可動規制部５３６ｂに固定されている。可動規制部５３６ｂは、第２円柱状部５３２ｂの外表面から上面側及び底面側にそれぞれ半円形状に突出する薄板形状を有している。弾性部材５３３ｂの右側面側に設けられた移動防止部材５３４ｂは円環状を有している。移動防止部材５３４ｂは例えばワッシャである。移動防止部材５３４ｂは、中央に設けられた開口に第２円柱状部５３２ｂが挿入されて第２円柱状部５３２ｂに配置されている。移動防止部材５３４ｂは弾性部材５３３ｂの右側面側の端部に固定されている。
【００８１】
ここで、施錠機構５３を取り付ける施錠機構取付部５４の詳細な構造について説明する。図８に示すように、施錠機構取付部５４は、カバー部３５１（図８では不図示）の外形とほぼ同様の形状を有する縁部５４１を有している。縁部５４１には、カバー部３５１を重ね合わせた際にカバー部３５１の貫通孔に対応する場所にねじ穴５４７が設けられている。
【００８２】
施錠機構取付部５４は、縁部５４１のほぼ中央に設けられたツマミ配置部５４５を有している。ツマミ配置部５４５は、正面側にツマミ部４３ｂが挿入されるツマミ挿入部５４５ｃを有している。ツマミ挿入部５４５ｃは円筒状を有している。ツマミ挿入部５４５ｃの一端面には、開口５４５ｄと、開口５４５ｄを挟んで形成された突起部５４５ａ，５４５ｂが設けられている。突起部５４５ａ，５４５ｂは直方体形状を有している。突起部５４５ａ，５４５ｂは、カバー部５３１側に向かって突出して形成されている。突起部５４５ａは底面側で右底面側に片寄って設けられ、突起部５４５ｂは上面側で左上面側に片寄って設けられている。
【００８３】
図８に示すように、施錠機構取付部５４は、ツマミ配置部５４５よりも右側面側に、縁部５４１の間に設けられた第１リブ５４６ａ、第２リブ５４４ａ及び第３リブ５４２ａを有している。施錠機構取付部５４は、ツマミ配置部５４５に対して左側面側に、縁部５４１の間に設けられた第１リブ５４６ｂ、第２リブ５４４ｂ及び第３リブ５４２ｂを有している。
【００８４】
ここで、施錠機構５３と施錠機構取付部５４との連結関係について図６を再び用いて説明する。図６に示すように、第１リブ５４６ａは、施錠機構５３が施錠機構取付部５４に取り付けられた場合に施錠状態では、可動規制部５３６ａが配置される位置に設けられている。第１リブ５４６ａは、弾性部材５３３ａの弾性力によって第１円柱状部５３２ａの先端が右側面側に移動しないように、左側面側に可動規制部５３６ａが引っ掛かるように構成されている。また、第１リブ５４６ａは、第１円柱状部５３２ａとほぼ直交するように右底面側に傾いて設けられている。これにより、第１リブ５４６ａには、上面側の半円状部と底面側の半円状部とが弾性部材５３３ａに均等に引っ掛かるので、可動規制部５３６ａは第１円柱状部５３２ａの先端が右側面側に移動するのをより確実に防止できる。
【００８５】
移動防止部材５３４ａは第２リブ５４４ａの右側面側に接触して配置されている。第２リブ５４４ａは、第１円柱状部５３２ａとほぼ直交するように、第１円柱状部５３２ａと交差する部分が右底面側に傾いて形成されている。これにより、移動防止部材５３４ａは、第２リブ５４４ａ及び第１突起部５３７ａに均一に引っ掛かるので、弾性部材５３３ａがベース部５３５ａ側に移動するのをより確実に防止できる。
【００８６】
第２リブ５４４ａは、施錠機構５３が施錠機構取付部５４に取り付けられた場合に、移動防止部材５３４ａが配置される位置に設けられている。第２リブ５４４ａには、切り欠きが設けられており、カバー部５３１で縁部５４１を覆うと、第１突起部５３７ａがこの切り欠きに嵌め合わされるようになっている。これにより、第１円柱状部５３２ａは、第２リブ５４４ａに設けられた切り欠きと第１突起部５３７ａとによって形成される開口に挿通される。
【００８７】
第３リブ５４２ａは、施錠機構５３が施錠機構取付部５４に取り付けられた場合に、第２突起部５３８ａが配置される位置に設けられている。第３リブ５４２ａには、切り欠きが設けられており、カバー部５３１で縁部５４１を覆うと、第２突起部５３８ａがこの切り欠きに嵌め合わされるようになっている。これにより、第１円柱状部５３２ａは、第３リブ５４２ａに設けられた切り欠きと第２突起部５３８ａとによって形成される開口に挿通される。
【００８８】
図６に示すように、第１リブ５４６ｂは、施錠機構５３が施錠機構取付部５４に取り付けられた場合に施錠状態では、可動規制部５３６ｂが配置される位置に設けられている。第１リブ５４６ｂは、弾性部材５３３ｂの弾性力によって第２円柱状部５３２ｂの先端が左側面側に移動しないように、右側面側に可動規制部５３６ｂが引っ掛かるように構成されている。また、第１リブ５４６ｂは、第２円柱状部５３２ｂとほぼ直交するように左底面側に傾いて設けられている。これにより、第１リブ５４６ｂには、上面側の半円状部と底面側の半円状部とが弾性部材５３３ｂに均等に引っ掛かるので第２円柱状部５３２ｂの先端が左側面側に移動するのをより確実に防止できる。
【００８９】
移動防止部材５３４ｂは第２リブ５４４ｂの左側面側に接触して配置されている。第２リブ５４４ｂは、第２円柱状部５３２ｂとほぼ直交するように、第２円柱状部５３２ｂと交差する部分が上下方向に延在している。これにより、移動防止部材５３４ｂは、第２リブ５４４ｂ及び第１突起部５３７ｂに均一に引っ掛かるので、弾性部材５３３ｂがベース部５３５ａ側に移動するのをより確実に防止できる。
【００９０】
第２リブ５４４ｂは、施錠機構５３が施錠機構取付部５４に取り付けられた場合に、移動防止部材５３４ｂが配置される位置に設けられている。第２リブ５４４ｂには、切り欠きが設けられており、カバー部５３１で縁部５４１を覆うと、第１突起部５３７ｂがこの切り欠きに嵌め合わされるようになっている。これにより、第２円柱状部５３２ｂは、第２リブ５４４ｂに設けられた切り欠きと第１突起部５３７ｂとによって形成される開口に挿通される。
【００９１】
第３リブ５４２ｂは、施錠機構５３が施錠機構取付部５４に取り付けられた場合に、第２突起部５３８ｂが配置される位置に設けられている。第３リブ５４２ｂには、切り欠きが設けられており、カバー部５３１で縁部５４１を覆うと、第２突起部５３８ｂがこの切り欠きの開放端に嵌るようになっている。これにより、第２円柱状部５３２ｂは、第３リブ５４２ｂに設けられた切り欠きと第２突起部５３８ｂとによって形成される開口に挿通される。
【００９２】
ここで、施錠機構５３の各構成要素の動作について説明する。第３リブ５４２ｂは、第２リブ５４４ｂよりもツマミ取付部５３５に近い位置に設けられている。このため、ツマミ部４３ｂの回転動作に伴う第２円柱状部５３２ｂの上下方向（上面及び底面方向）の可動範囲は、第２リブ５４４ｂでの可動範囲よりも第３リブ５４２ｂでの可動範囲の方が大きくなる。しかしながら、第３リブ５４２ｂに設けられた切り欠きと第２突起部５３８ｂとによって形成される開口は、第２リブ５４４ｂに設けられた切り欠きと第１突起部５３７ｂとによって形成される開口よりも上下方向の長さが長くなっている。このため、第２円柱状部５３２ｂは、ツマミ部５３ｂが回転されることに基づいて、切り欠きと第２突起部５３８ｂとによって形成される開口を通って左右方向及び上下方向に移動することができる。
【００９３】
第３リブ５４２ａは、第２リブ５４４ａよりもツマミ取付部５３５に近い位置に設けられている。このため、ツマミ部４３ｂの回転動作に伴う第１円柱状部５３２ａの上下方向（上面及び底面方向）の可動範囲は、第２リブ５４４ａでの可動範囲よりも第３リブ５４２ａでの可動範囲の方が大きくなる。しかしながら、第３リブ５４２ａに設けられた切り欠きと第２突起部５３８ａとによって形成される開口は、第２リブ５４４ａに設けられた切り欠きと第１突起部５３７ａとによって形成される開口よりも上下方向の長さが長くなっている。このため、第１円柱状部５３２ａは、ツマミ部５３ｂが回転されることに基づいて、切り欠きと第２突起部５３８ａとによって形成される開口を通って左右方向及び上下方向に移動することができる。
【００９４】
図６に示すように、施錠機構５３を施錠機構取付部５４に取り付けると、施錠状態では括れ部５３５ｆに突起部５４５ａが配置され、括れ部５３５ｈに突起部５４５ｂが配置される。ツマミ取付部５３５は施錠状態では、背面側から見て、弾性部材５３３ａ及び弾性部材５３３ｂによって左回り（反時計回り、図６では右回り）に回転する力を受ける。しかしながら、突起部５４５ａが括れ部５３５ｆに接触し、突起部５４５ｂが括れ部５３５ｈに接触しているので、ツマミ取付部５３５は左回りに回転できない。さらに、可動規制部５３６ａが第１リブ５４６ａの左側面側に引っ掛かるので、第１円柱状部５３２ａの右側面方向への可動が規制される。同様に、可動規制部５３６ｂが第１リブ５４６ｂの右側面側に引っ掛かるので、第２円柱状部５３２ｂの左側面方向への可動が規制される。これにより、第１円柱状部５３２ａの先端が縁部５４１及びカバー部５３１の右側面側から飛び出し、第２円柱状部５３２ｂの先端が縁部５４１及びカバー部５３１の左側面側から飛び出した状態が維持される。このため、第１円柱状部５３２ａの先端は第１扉固定部８１ａに挿入され、第２円柱状部５３２ｂの先端は第２扉固定部８１ｂに挿入される。その結果、側壁扉５が本体部３に固定される。
【００９５】
ここで、ツマミ部４３ｂが左回り（反時計回り、図６では右回り）に回転されると、括れ部５３５ｆが突起部５４５ａから離れるのに対し、括れ部５３５ｇが突起部５４５ａに近づく。同様に、ツマミ部４３ｂが左回り（反時計回り）に回転されると、括れ部５３５ｈが突起部５４５ｂから離れるのに対し、括れ部５３５ｉが突起部５４５ｂに近づく。ツマミ部４３ｂが左回りに回され続けると最終的に、突起部５４５ａが括れ部５３５ｇと接触し、突起部５４５ｂが括れ部５３５ｉと接触してツマミ部４３ｂをそれ以上同方向に回転させることができなくなる。このように、括れ部５３５ｆ，５３５ｇ，５３５ｈ，５３５ｉ及び突起部５４５ａ，５４５ｂは、ツマミ部４３ｂの回転を所定の範囲内に規制することができる。
【００９６】
また、第１円柱状部５３２ａは、ツマミ部５３ｂが左回りに回転されることに基づいて、切り欠きと第１突起部５３７ａとによって形成される開口を通って左側面側及び上面側に移動することになる。移動防止部材５３４ａは、切り欠きと第１突起部５３７ａとによって形成される開口よりも大きいため、移動防止部材５３４ａが取り付けられた弾性部材５３３ａの端部は、第２リブ５４４ａを乗り越えてツマミ取付部５３５側に移動することができない。このため、ツマミ部５３ｂがペットの飼い主などの人によって左回りに回転されて第１円柱状部５３２ａが全体的に左側面方向に移動して弾性部材５３３ａが収縮されても、移動防止部材５３４ａは第２リブ５４４ａに引っ掛かった状態で維持される。
【００９７】
また、第２円柱状部５３２ｂは、ツマミ部５３ｂが左回りに回転されることに基づいて、切り欠きと第１突起部５３７ｂとによって形成される開口を通って右側面側及び底面側に移動することになる。移動防止部材５３４ｂは、切り欠きと第１突起部５３７ｂとによって形成される開口よりも大きいため、移動防止部材５３４ｂが取り付けられた弾性部材５３３ｂの端部は、第２リブ５４４ｂを乗り越えてツマミ取付部５３５側に移動することができない。このため、ツマミ部５３ｂがペットの飼い主などの人によって左回りに回転されて第２円柱状部５３２ｂが全体的に右側面方向に移動して弾性部材５３３ｂが収縮されても、移動防止部材５３４ｂは第２リブ５４４ｂに引っ掛かった状態で維持される。
【００９８】
人がツマミ部５３ｂから手を離すと、弾性部材５３３ａは弾性力によって元の状態に戻るため、自動的に第１円柱状部５３２ａの先端が縁部５４１及びカバー部５３１の右側面側から飛び出した状態に戻る。同様に、弾性部材５３３ｂは弾性力によって元の状態に戻るため、自動的に第２円柱状部５３２ｂの先端が縁部５４１及びカバー部５３１の左側面側から飛び出した状態に戻る。
【００９９】
（中央扉の構造）
次に、中央扉５２の詳細な構造について図６から図８を参照しつつ、図１１を用いて説明する。中央扉５２は、枠部５１に対して回転自在に取り付けられており、枠部５１に設けられた開口５１９を開放状態にしたり閉鎖状態にしたりできる。中央扉５２は、例えばペット収容具１をペットキャリーとして使用している場合にペット収容具１に収容されたペットの様子を見たりペットに餌を与えたりする際に、開錠されて開口５１９が開放状態にされる。
【０１００】
図１１は、中央扉５２の外観図である。図１１（ａ）は、中央扉５２を右上方から見た外観斜視図であり、図１１（ｂ）は、中央扉５２の正面図である。
【０１０１】
図１１に示すように、中央扉５２は、枠部５１に設けられた開口５１９（図７参照）が閉鎖状態に維持される際に開口５１９を塞いで配置される主面部５２１を有している。主面部５２１は馬蹄形状に形成されている。中央扉５２は、主面部５２１の底面側に設けられた二股部５２２を有している。二股部５２２は、ツマミ配置部５４５及び扉取付部５１７ａ，５１７ｂの形状に倣う二股形状を有している。二股部５２２の両側の凸部５２２ａ，５２２ｂは、中央扉５２が開口５１９を塞いで枠部５１に配置されている際に、扉取付部５１７ａ，５１７ｂの傾斜に沿うように正面側に湾曲して形成されている。二股部５２２の中央に設けられた凹部５５２ｃは、中央扉５２の開閉動作が円滑に行われるように、ツマミ配置部５４５の幅（左右方向の長さ）よりも同方向の幅が長く形成されている。
【０１０２】
主面部５２１及び二股部５２２は一体に形成されている。中央扉５２は、右側面寄り上面側の一部及び右側面側の周縁に設けられた第１側壁部５２４ａと、左側面寄り上面側の一部及び左側面側の周縁に設けられた第２側壁部５２４ｂとを有している。第１側壁部５２４ａは、施錠機構５５が設けられた領域を除く主面部５２１の上面側の周縁、右側面側の周縁及び凸部５２２ａの右側面側の周縁を背面側に折り曲げて形成されている。第２側壁部５２４ｂは、施錠機構５５が設けられた領域を除く主面部５２１の上面側の周縁、左側面側の周縁及び凸部５２２ｂの左側面側の周縁を背面側に折り曲げて形成されている。第１側壁部５２４ａは、枠部５１の第１内壁５１３ａ（図７参照）の高さとほぼ同じ高さを有している。第２側壁部５２４ｂは、枠部５１の第２内壁５１３ｂ（図７参照）の高さとほぼ同じ高さを有している。このため、中央扉５２が開口５１９を塞いだ状態で枠部５１に配置されると、第１側壁部５２４ａの背面側の端面は第１内壁５１３ａの折り返し部に接触し、第２側壁部５２４ｂの背面側の端面は第２内壁５１３ｂの折り返し部に接触するようになっている（図１４参照）。また、この場合、主面部５２１は枠部５１とほぼ面一に配置される（図１４参照）。
【０１０３】
凸部５２２ａが設けられている側の第１側壁部５２４ａの端部には円柱状に形成された第１軸部５２３ａが設けられている。第１軸部５２３ａは第１側壁部５２４ａの壁面から右側面側に向かって突出して形成されている。凸部５２２ｂが設けられている側の第２側壁部５２４ｂの端部には円柱状に形成された第２軸部５２３ｂが設けられている。第２軸部５２３ｂは第２側壁部５２４ｂの壁面から左側面側に向かって突出して形成されている。第１軸部５２３ａ及び第２軸部５２３ｂは一直線上に配置されている。中央扉５２は、第１軸部５２３ａが枠部５１に形成された軸孔５１８ａ（図７参照）に挿入され、第２軸部５２３ｂが枠部５１に形成された軸孔５１８ｂ（図７参照）に挿入されて回転自在に枠部５１に取り付けられる。中央扉５２は、第１軸部５２３ａ及び第２軸部５２３ｂを回転軸として枠部５１に対して所定の範囲で回転できるようになっている。
【０１０４】
（中央扉の施錠機構）
次に、中央扉５２の施錠機構５５について、図６、図１０及び図１１を参照しつつ、図１２及び図１３を用いて説明する。図１２は、中央扉５２の施錠機構５５を示す図である。図１２（ａ）は、施錠機構５５の構成要素のうち枠部５１側に設けられた構成要素の近傍を示し、図１２（ｂ）は、施錠機構５５の構成要素のうち中央扉５２に設けられた構成要素の近傍を示している。図１３は、図６に示すＡ−Ａ線で側壁扉５を切断した部分断面図である。
【０１０５】
中央扉５２の施錠機構５５の詳細な構造を説明する前に、施錠機構５５の施錠機構及び開錠機構について簡単に説明する。図６及び図１１は、施錠機構５５が中央扉５２を施錠している状態を示している。施錠機構５５が中央扉５２を施錠している状態では、ツマミ部５５ｂの回転に連動して回転する回転部材５５３の平板部５５３ｂが枠部５１に設けられた板状部５５１及び棒状部５５２の間に挟まれ、かつ中央扉５２の背面側から枠部５１の背面側に飛び出た状態で維持される。この状態では、回転部材５５３は板状部５５１及び棒状部５５２によって回転することができず、かつ平板部５５３ｂの先端が枠部５１側に飛び出している。このため、枠部５１の開口５１９が開放状態となるように中央扉５２が正面側に引っ張られたとしても、平板部５５３ｂの先端が枠部５１に引っ掛かるので、中央扉５２を開けることができない。
【０１０６】
一方、施錠機構５５が中央扉５２を開錠する際は、ツマミ部５５ｂが背面側に押された後に左回り（反時計回り、図１１では右回り（時計回り））に回転される。ツマミ部５５ｂが背面側に押されることにより、回転部材５５３も背面側に押されるため、平板部５５３ｂが棒状部５５２に接触しなくなる。このため、ツマミ部５５ｂが左回りに回転されると、ツマミ部５５ｂの回転動作に連動して回転部材５５３も左回りに回転される。これにより、平板部５５３ｂの全体は、中央扉５２の背面側に収まるように配置される。その結果、枠部５１の開口５１９が開放状態となるように中央扉５２が正面側に引っ張られると、平板部５５３ｂの全体は中央扉５２の背面側に配置されて枠部５１に引っ掛からないため、中央扉５２を開けることができる。
【０１０７】
次に、施錠機構５５の詳細な構造について説明する。図１１（ａ）に示すように、主面部５２１の上面側中央には、中央扉５２の施錠機構５５が設けられている。施錠機構５５を構成する構成要素の一部であるツマミ部５５ｂは中央扉５２の正面側に配置され、残余の構成要素である構成要素群５５ａは中央扉５２の背面側に配置されている。また、構成要素群５５ａの一部の構成要素は中央扉５２に設けられ、残余の構成要素は枠部５１に設けられている。
【０１０８】
図１２（ａ）に示すように、構成要素群５５ａは、施錠機構５５近傍の第１内壁５１３ａの端部に設けられた板状部５５１と、施錠機構５５近傍の第２内壁５１３ｂの端部に設けられた棒状部５５２とを有している。板状部５５１は第１内壁５１３ａと一体に形成され、棒状部５５２は第２内壁５１３ｂと一体に形成されている。板状部５５１及び棒状部５５２は、構成要素群５５ａを構成する構成要素のうち枠部５１側に設けられた構成要素である。板状部５５１は、枠部５１の開口５１９を含む面に平行な面に対して直交して突出して設けられている。また、板状部５５１は、主面を棒状部５５２に対向させて配置されている。棒状部５５２は、ほぼ中央部で上面側に屈曲しながら板状部５５１に向かって延在して配置されている。板状部５５１と棒状部５５２との間には、平板部５５３ｂが配置可能な間隙が設けられている。
【０１０９】
図１２（ｂ）に示すように、構成要素群５５ａは、ツマミ部５５ｂが取り付けられるツマミ取付部５５７を有している。構成要素群５５ａは、ツマミ取付部５５７に取り付けられツマミ部５５ｂの回転に伴って回転する回転部材５５３と、ツマミ取付部５５７から背面側に突出して形成された第１Ｌ字状突起５５５及び第２Ｌ字状突起５５６とを有している。ツマミ取付部５５７、回転部材５５３、第１Ｌ字状突起５５５及び第２Ｌ字状突起５５６は、構成要素群５５ａを構成する構成要素のうち中央扉５２側に設けられた構成要素である。
【０１１０】
ツマミ取付部５５７は、中央扉５２の上面側の先端を含む一部をＵ字状に背面側に凹ませた形状を有している。つまり、ツマミ取付部５５７は、右側面側、底面側及び左側面側の三方向からツマミ部５５ｂを囲むようになっている。ツマミ取付部５５７の左右方向（右側面側から左側面側に向かう方向又はその逆方向）及び上下方向（上面側から底面側に向かう方向又はその逆方向）の長さは、ツマミ部５５ｂの直径よりも長くなっている。ツマミ取付部５５７のほぼ中央には、正面側から背面側に向かう方向（又はその逆方向）に貫通する貫通孔５５７ａが形成されている（図１３参照）。ツマミ部５５ｂは貫通孔５５７ａから突出する円弧状突起部５５３ａ（詳細は後述する）に挿入されてツマミ取付部５５７に回転自在に取り付けられる。
【０１１１】
回転部材５５３は、回転軸となる軸部５５３ｃと、軸部５５３ｃから軸部５５３ｃの放射方向に延在し平板状に形成された平板部５５３ｂとを有している。図１３に示すように、軸部５５３ｃには、ツマミ部５５ｂが配置される側に向かって突出し所定の間隙を設けて向き合う円弧状に形成された円弧状突起部５５３ａが設けられている。円弧状突起部５５３ａは、ツマミ取付部５５７の貫通孔５５７ａに挿入されている。ツマミ部５５ｂはツマミ部５３ｂと同じ構造を有している。すなわち、図示は省略するが、ツマミ部５５ｂは、ベース部と、ベース部に設けられたツマミ部材と、ツマミ部材とは反対側にベース部から突出しねじ穴が形成された筒状部と、筒状部の外表面に形成された直方体部とを有している（図１０参照）。ツマミ部５５ｂは、直方体部が円弧状突起部５５３ａの間隙に案内されて円弧状突起部５５３ａに挿入される。軸部５５３ｃのほぼ中央には、貫通孔５５３ｄが形成されている。ねじＮ４は、貫通孔５５３ｄを通ってツマミ部５５ｂに設けられたねじ穴に挿入されてている。ツマミ部５５ｂは、回転部材５５３にねじＮ４によってねじ止めされている。これにより、ツマミ部５５ｂと回転部材５５３とは固定される。ツマミ部５５ｂの直方体部は円弧状突起部５５３ａの間隙に挟まれているので、ツマミ部５５ｂが回転されると、ツマミ部５５ｂの回転に連動して回転部材５５３も同方向に回転する。
【０１１２】
図１３に示すように、ツマミ部５５ｂには、弾性部材５５８が取り付けられている。弾性部材５５８は、弾性エネルギーが蓄積された状態、かつさらに収縮可能な状態でツマミ部５５ｂとツマミ取付部５５７との間に挟まれて配置されている。弾性部材５５８の一端はツマミ部５５ｂに固定され、弾性部材５５８の他端は固定されない状態でツマミ取付部５５７に接触して配置されている。弾性部材５５８は例えば弦巻ばねである。
【０１１３】
図１２（ｂ）に戻って、ツマミ取付部５５７の背面側に設けられた第１Ｌ字状突起５５５は、左回りに回転した回転部材５５３の平板部５５３ｂが衝突する位置に設けられている。平板部５５３ｂが第１Ｌ字状突起５５５に衝突して接触すると、回転部材５５３は第１Ｌ字状突起５５５を乗り越えてさらに左回りに回転できないように構成されている。このため、第１Ｌ字状突起５５５は、ツマミ部５５ｂが所定範囲を超えて左回りに回転できないように回転範囲を制限する回転範囲制限部としての機能を発揮するようになっている。
【０１１４】
ツマミ取付部５５７の背面側に設けられた第２Ｌ字状突起５５６は、右回り（時計回り）に回転した回転部材５５３の平板部５５３ｂが衝突する位置に設けられている。中央扉５２が開口５１９を塞いでいる状態では、平板部５５３ｂと第２Ｌ字状突起５５６との間には、板状部５５１が配置されている（図６参照）。このため、上述のとおり、この状態では、板状部５５１がツマミ部５５ｂの回転範囲を制限する回転範囲制限部として機能する。ところが、板状部５５１は、枠部５１に設けられている構成要素であるため、中央扉５２が開口５１９を塞いでいない状態では、平板部５５３ｂと第２Ｌ字状突起５５６との間に存在しない。しかしながら、第２Ｌ字状突起５５６が存在するため、中央扉５２が開口５１９を塞いでいない状態でツマミ部５５ｂが右回りに回転されると、平板部５５３ｂが第２Ｌ字状突起５５６に衝突する。平板部５５３ｂが第２Ｌ字状突起５５６に衝突して接触すると、回転部材５５３は第２Ｌ字状突起５５６を乗り越えてさらに右回りに回転できないように構成されている。このため、第２Ｌ字状突起５５６は、中央扉５２が開口５１９を塞いでいない状態において、ツマミ部５５ｂが所定範囲を超えて右回りに回転できないように回転範囲を制限する回転範囲制限部としての機能を発揮するようになっている。また、施錠機構５５が中央扉５２を施錠している状態において第２Ｌ字状突起５５６と平板部５５３ｂとの間には、板状部５５１の厚さ程度の隙間しか存在しない。このため、中央扉５２が開口５１９を塞いでいない状態においてツマミ部５５ｂが僅かに右回りに回転されただけで、平板部５５３ｂが第２Ｌ字状突起５５６に接触してしまう。このように、第２Ｌ字状突起５５６は、ツマミ部５５ｂの右回りの回転を禁止する回転禁止部としての機能を発揮すると見ることもできる。
【０１１５】
ここで、施錠機構５５の各構成要素の動作について説明する。ツマミ部５５ｂに正面側から外力を与えていない状態では、弾性部材５５８は、自然長に戻ろうとして背面側から正面側に向かう力をツマミ部５５ｂに与える。ツマミ部５５ｂと回転部材５５３とは固定されているため、ツマミ部５５ｂが背面側から正面側に向かう力を弾性部材５５８から受けると、回転部材５５３も同方向の力を受ける。このため、回転部材５５３は、ツマミ取付部５５７に背面側から密着する。つまり、回転部材５５３は、ツマミ部５５ｂに正面側から外力を与えていない状態では、ツマミ取付部５５７の背面側に密着する。これにより、回転部材５５３の平板部５５３ｂは板状部５５１と棒状部５５２との間に挟まれているので、回転部材５５３は回転できない。
【０１１６】
側壁扉５が開口３３を塞ぎ、中央扉５２が開口５１９を塞いだ状態において、構成要素群５５ａは内部空間３４に露出されている。回転部材５５３は弾性部材５５８の付勢力によってツマミ取付部５５７に密着し板状部５５１と棒状部５５２との間に挟まれているので、例えばペット収容具１に収容されたペットが中央扉５２を開けるために回転部材５５３を触っても回転部材５５３を回転させることはできない。これにより、ペット収容具１は、ペット収容具１をペットキャリーとして使用している際に、ペット収容具１の使用者の意図と反してペットがペット収容具１から顔を覗かせたり飛び出したりするのを防止できる。
【０１１７】
円弧状突起部５５３ａがツマミ取付部５５７から正面側に飛び出している長さは、棒状部５５２の太さよりも長く、板状部５５１の高さよりも短くなっている。このため、ツマミ部５５ｂを背面側に押し込むと、回転部材５５３は円弧状突起部５５３ａのこの長さ分だけ背面側に押し出される。これにより、平板部５５３ｂとツマミ取付部５５７との間には、円弧状突起部５５３ａのこの長さ分だけ隙間が生じる。平板部５５３ｂとツマミ取付部５５７との間に生じるこの隙間の長さは、棒状部５５２の太さよりも長いので、ツマミ部５５ｂを棒状部５５２が設けられている側に回転、すなわち左回り（反時計回り）に回転させると平板部５５３ｂは棒状部５５２上を移動して左回りに回転できる。一方、平板部５５３ｂとツマミ取付部５５７との間に生じるこの隙間の長さは、板状部５５１の高さよりも短いので、ツマミ部５５ｂを板状部５５１が設けられている側に回転、すなわち右回り（時計回り）に回転させても、平板部５５３ｂは板状部５５１に衝突してしまい右回りに回転できない。このように、板状部５５１は、中央扉５２が開口５１９を塞いでいる状態で、ツマミ部５５ｂが右回りに回転できないように回転範囲を制限する回転範囲制限部としての機能を発揮するようになっている。
【０１１８】
（天井扉の構造）
次に、天井扉７の詳細な構造について図５を参照しつつ、図１４から図１６を用いて説明する。図１４は、天井扉７の外観斜視図である。図１４（ａ）は天井扉７の上面側斜視図であり、図１４（ｂ）は天井扉７の底面側斜視図である。図１５は、天井扉７を本体部３に固定する固定部材７２の外観図である。図１５（ａ）は固定部材７２の正面側斜視図であり、図１５（ｂ）は固定部材７２の底面側斜視図であり、図１５（ｃ）は固定部材７２の底面図である。図１６は、固定部材取付部７１６の近傍を示す図である。図１６（ａ）は固定部材取付部７１６の近傍を示す斜視図であり、図１６（ｂ）は、固定部材取付部７１６の近傍を示す平面図である。なお、図１６では、理解を容易にするため、固定部材７２の図示は省略されている。
【０１１９】
図１４に示すように、天井扉７は、上面側に湾曲する薄板状の平板部７１を有している。また、天井扉７は、平板部７１の右側面側の端部で底面側に向かって延在する第１側壁７１１ａと、平板部７１の左側面側の端部で底面側に向かって延在する第２側壁７１１ｂとを有している。第１側壁７１１ａ及び第２側壁７１１ｂは平板部７１と一体に形成されている。上本体３ａの端面３２２ａに形成された段差部３２６ａ（図５参照）は、第１側壁７１１ａの端面７１２ａの形状に倣う形状を有している。また、上本体３ａの端面３２２ｂに形成された段差部３２６ｂ（図５参照）は、第２側壁７１１ｂの端面７１２ｂの形状に倣う形状を有している。これにより、天井扉７は、天井扉７と段差部３２６ａ及び段差部３２６ｂとの間に隙間を殆ど生じさせずに、開口３５を塞いだ状態で本体部３に固定されることができる。
【０１２０】
第１側壁７１１ａには、右側面側に向かって突出する軸部７１３ａが形成されている。第２側壁７１１ｂには、左側面側に向かって突出する軸部７１３ｂが形成されている。軸部７１３ａは、上本体３ａの端面３２２ａに形成された軸孔３２８ａ（図５参照）に挿入され、軸部７１３ｂは、上本体３ａの端面３２２ｂに形成された軸孔３２８ｂ（図５参照）に挿入される。これにより、天井扉７は、軸部７１３ａ及び軸部７１３ｂを回転軸として回転自在に本体部３に取り付けられる。
【０１２１】
天井扉７の軸部７１３ａ及び軸部７１３ｂは、側壁扉５の第１軸部５１２ａ及び第２軸部５１２ｂとほぼ平行に配置されている。つまり、天井扉７の回転軸と側壁扉５の回転軸とは、ほぼ平行になっている。また、天井扉７が開口３５を塞いで本体部３に配置された場合、天井扉７の正面側の端部は、側壁扉５の第１軸部５１２ａ及び第２軸部５１２ｂの近傍に配置される。
【０１２２】
天井扉７は、平板部７１上の正面側に凹部７１５を有している。凹部７１５は、背面側かつ底面側に陥没する形状を有している。また、天井扉７は、正面側かつ第１側壁７１１ａ寄りの平板部７１上に形成された凹部７１４ａと、正面側かつ第２側壁７１１ｂ寄りの平板部７１上に形成された凹部７１４ｂとを有している。凹部７１４ａ及び凹部７１４ｂは平板部７１の外表面が底面側に陥没した形状を有している。凹部７１４ａ，凹部７１４ｂ及び凹部７１５は、天井扉７が開いた状態となるように天井扉７を回転させるときにペット収容具１の使用者が指を差し入れて天井扉７を掴む持ち手部となる。
【０１２３】
天井扉７は、固定部材７２が取り付けられる固定部材取付部７１６と、固定部材７３が取り付けられる固定部材取付部７１７とを有している。固定部材取付部７１６は、凹部７１４ａと第１側壁７１１ａとの間に形成されている。固定部材取付部７１７は、凹部７１４ｂと第２側壁７１１ｂとの間に形成されている。固定部材７２は、左右方向にスライド自在に固定部材取付部７１６に取り付けられている。固定部材７３は、左右方向にスライド自在に固定部材取付部７１７に取り付けられている。
【０１２４】
ここで、固定部材７２，７３及び固定部材取付部７１６，７１７の詳細な構造について説明する。固定部材７２及び固定部材７３は同じ構造を有しているため、固定部材７２を例にとって固定部材７２，７３の詳細な構造を説明する。また、固定部材取付部７１６及び固定部材取付部７１７は、線対称の関係にあるものの構造自体は同一であるため、固定部材取付部７１６を例にとって固定部材取付部７１６及び固定部材取付部７１７の詳細な構造を説明する。
【０１２５】
図１５（ａ）及び図１５（ｂ）に示すように、固定部材７２は、薄板形状に形成されたベース部７２１を有している。ベース部７２１は角部が丸面取りされている。ベース部７２１は、貫通孔３２７ａに挿入される側の角部の方が貫通孔３２７ａに挿入されない側の角部よりも大きく丸面取りされている。
【０１２６】
固定部材７２は、ベース部７２１から正面側に向かって突出するツマミ部材７２３を有している。ツマミ部材７２３は、ペット収容具１の使用者が固定部材７２をスライドさせるときに指で摘まむ部材である。ツマミ部材７２３は、薄板形状を有している。ツマミ部材７２３は、右側面側又は左側面側から見て、長軸で切断された半楕円形状を有している。
【０１２７】
固定部材７２は、ベース部７２１から底面側に向かって突出する二股状の爪部７２２を有している。爪部７２２は、所定の間隙を設けて隣り合う直方体状部材の先端が外側に曲げられた形状を有している。図１５（ｃ）に示すように、爪部７２２は、貫通孔３２７ａに挿入される端部側に偏って配置されている。
【０１２８】
固定部材７２は、ベース部７２１から底面側に向かって突出し爪部７２２を挟んで設けられた一対の突起部７２４ａ−１及び突起部７２４ａ−２を有している。突起部７２４ａ−１及び突起部７２４ａ−２は、半円柱形状を有している。図１５（ａ）に示すように、突起部７２４ａ−１及び突起部７２４ａ−２は、爪部７２２の長辺のほぼ中点近傍に配置されている。
【０１２９】
図１６（ａ）に示すように、固定部材取付部７１６は、第１側壁７１１ａの一部を開放するように底面側に凹ませた形状を有している。固定部材取付部７１６は、凹部７１４ａの深さよりも深く形成されている。図１６（ｂ）に示すように、固定部材取付部７１６は、上面側から見て、長方形状を有している。第１側壁７１１ａが延伸する方向の固定部材取付部７１６の長さは、固定部材７２の短辺の長さよりも長くなっている。これにより、固定部材７２は、固定部材取付部７１６内を容易にスライドされることができる。
【０１３０】
固定部材取付部７１６は、底面側のほぼ中央を貫通して設けられた開口７１６ａを有している。開口７１６ａは、上面側から見て、長方形状を有している。
【０１３１】
固定部材取付部７１６は、開口７１６ａを挟んで設けられ開口７１６ａの長辺側に配置された一対の窪み部７１６ｂ−１，７１６ｂ−２及び一対の窪み部７１６ｃ−１，７１６ｃ−２を有している。一対の窪み部７１６ｂ−１，７１６ｂ−２及び一対の窪み部７１６ｃ−１，７１６ｃ−２は、開口７１６ａが形成された固定部材取付部７１６の面を底面側に向かって凹ませた形状を有している。一対の窪み部７１６ｂ−１，７１６ｂ−２及び一対の窪み部７１６ｃ−１，７１６ｃ−２は、上面側から見て、長方形状を有している。一対の窪み部７１６ｂ−１，７１６ｂ−２及び一対の窪み部７１６ｃ−１，７１６ｃ−２は、短辺が開口７１６ａの長辺に沿い、長辺が開口７１６ａの長辺に直交するように配置されている。一対の窪み部７１６ｂ−１，７１６ｂ−２及び一対の窪み部７１６ｃ−１，７１６ｃ−２は、曲面状の表面を有している。
【０１３２】
固定部材取付部７１６は、凹部７１４ａ側の側壁に形成された開口７１６ｄを有している。開口７１６ａは、この側壁の底面側に形成されており、凹部７１４ａよりも深い領域に形成されている。つまり、開口７１６ａは、凹部７１４ａによって封鎖されていない。
【０１３３】
図１５に示す固定部材７２は、相対的に小さく丸面取りされた端部が開口７１６ａに挿入された上で爪部７２２を開口７１６ａに押し込まれて取り付けられる。爪部７２２は開口７１６ａに押し込こまれて挿入されることにより、先端が平板部７１の底面側に引っ掛かる。これにより、固定部材７２は、固定部材取付部７１６においてスライドさせる程度では固定部材取付部７１６から殆ど外れないようになる。
【０１３４】
固定部材７２が固定部材取付部７１６に取り付けられると、一対の突起部７２４ａ−１及び突起部７２４ａ−２は、一対の窪み部７１６ｂ−１，７１６ｂ−２及び一対の窪み部７１６ｃ−１，７１６ｃ−２のいずれか一方に配置される。突起部７２４ａ−１が窪み部７１６ｂ−１に配置され、突起部７２４ａ−２が窪み部７１６ｂ−２に配置されると、ベース部７２１の端部が第１側壁７１１ａから飛び出た状態で固定部材７２が固定部材取付部７１６に配置される。突起部７２４ａ−１が窪み部７１６ｃ−１に配置され、突起部７２４ａ−２が窪み部７１６ｃ−２に配置されると、ベース部７２１の端部が第１側壁７１１ａから飛び出ない状態で固定部材７２が固定部材取付部７１６に配置される。
【０１３５】
ここで、固定部材７２の動作について詳細に説明する。例えば、突起部７２４ａ−１が窪み部７１６ｂ−１に配置され、突起部７２４ａ−２が窪み部７１６ｂ−２に配置されている状態では、固定部材７２がスライド可能な範囲において最も右側面側に配置されている状態となる。この状態では、固定部材７２を構成するベース部７２１の先端が第１側壁７１１ａから右側面側に飛び出す。なお、固定部材７３がスライド可能な範囲において最も左側面側に配置されていると、固定部材７３を構成するベース部７３１の先端が第２側壁７１１ｂから左側面側に飛び出す。
【０１３６】
天井扉７が開口３５の上方に配置されると、第１側壁７１１ａ及び上本体３ａの端面３２２ａは互いに隣り合って配置され、第２側壁７１１ｂ及び上本体３ａの端面３２２ｂは互いに隣り合って配置される。さらに、天井扉７が開口３５の上方に配置されると、固定部材取付部７１６と端面３２２ａに形成された貫通孔３２７ａとは隣り合って配置され、固定部材取付部７１７と端面３２２ｂに形成された貫通孔３２７ｂとは隣り合って配置される。このため、天井扉７が開口３５の上方に配置されているときに、固定部材７２がスライド可能な範囲において最も右側面側に配置されるとベース部７２１が貫通孔３２７ａに挿入され、固定部材７３がスライド可能な範囲において最も左側面側に配置されるとベース部７３１が貫通孔３２７ｂに挿入される。これにより、天井扉７を上方に引き上げても、ベース部７２１が貫通孔３２７ａに引っ掛かり、ベース部７３１が貫通孔３２７ｂに引っ掛かるため、天井扉７は開かなくなり本体部３に固定される。
【０１３７】
突起部７２４ａ−１が窪み部７１６ｂ−１に配置され、突起部７２４ａ−２が窪み部７１６ｂ−２に配置されている状態において、固定部材７２が凹部７１４ａ側に動かされたとする。一対の突起部７２４ａ−１及び突起部７２４ａ−２は、半円柱形状であって曲面の外表面を有している。また、一対の窪み部７１６ｂ−１，７１６ｂ−２の表面も曲面状に形成されている。さらに、凹部７１４ａ側には開口７１６ａが設けられている。このため、固定部材７２が凹部７１４ａ側に向かう力を受けると、一対の突起部７２４ａ−１及び突起部７２４ａ−２が一対の窪み部７１６ｂ−１，７１６ｂ−２を乗り上げ、かつベース部７２１の端部が開口７１６ａに挿入されて、固定部材７２が凹部７１４ａ側に移動する。一対の窪み部７１６ｃ−１，７１６ｃ−２の表面も曲面状に形成されている。このため、さらに固定部材７２が凹部７１４ａ側に移動されると、一対の突起部７２４ａ−１及び突起部７２４ａ−２は、一対の窪み部７１６ｃ−１，７１６ｃ−２に落下する。このとき、固定部材７２を移動させている使用者にはクリック感が与えられる。一対の突起部７２４ａ−１及び突起部７２４ａ−２は、一対の窪み部７１６ｃ−１，７１６ｃ−２に落下すると、固定部材７２のベース部７２１の端部は第１側壁７１１ａから飛び出さなくなるため、天井扉７を開くことが可能な状態になる。一対の突起部７２４ａ−１及び突起部７２４ａ−２が一対の窪み部７１６ｃ−１，７１６ｃ−２に配置されると、爪部７２２が凹部７１４ａ側の開口７１６ａの側壁の近傍に配置される。これにより、さらに固定部材７２が凹部７１４ａ側に移動されようとしても、爪部７２２が開口７１６ａのこの側壁に衝突するため固定部材７２を移動させることができない。このように、固定部材７２は必要以上に固定部材取付部７１６内で凹部７１４ａ側に移動できないようになっている。
【０１３８】
また例えば、突起部７２４ａ−１が窪み部７１６ｃ−１に配置され、突起部７２４ａ−２が窪み部７１６ｃ−２に配置されている状態では、固定部材７２がスライド可能な範囲において最も左側面側に配置されている状態となる。この状態では、固定部材７２を構成するベース部７２１の先端が第１側壁７１１ａから右側面側に飛び出さない。なお、固定部材７３がスライド可能な範囲において最も右側面側に配置されていると、固定部材７３を構成するベース部７３１の先端が第２側壁７１１ｂから左側面側に飛び出さない。
【０１３９】
固定部材７２がスライド可能な範囲において最も左側面側に配置され、かつ固定部材７３がスライド可能な範囲において最も右側面側に配置されている状態で天井扉７が開口３５の上方に配置されていると、固定部材７２のベース部７２１は貫通孔３２７ａに挿入さず、固定部材７３のベース部は貫通孔３２７ｂに挿入されない。これにより、天井扉７を上方に引き上げたときに、貫通孔３２７ａ及び貫通孔７２７ｂに引っ掛かる天井扉７の構成要素がなくなり、軸部７１３ａ及び軸部７１３ｂを回転軸として天井扉７を開くことができる。
【０１４０】
この状態、すなわち、突起部７２４ａ−１が窪み部７１６ｃ−１に配置され、突起部７２４ａ−２が窪み部７１６ｃ−２に配置されている状態において、固定部材７２が第１側壁７１１ａ側に動かされたとする。固定部材７２が第１側壁７１１ａに向かう力を受けると、一対の突起部７２４ａ−１及び突起部７２４ａ−２が一対の窪み部７１６ｃ−１，７１６ｃ−２を乗り上げ、かつベース部７２１の端部が第１側壁７１１ａから飛び出しながら固定部材７２が第１側壁７１１ａ側に移動する。さらに固定部材７２が第１側壁７１１ａ側に移動されると、一対の突起部７２４ａ−１及び突起部７２４ａ−２は、一対の窪み部７１６ｂ−１，７１６ｂ−２に落下する。このとき、固定部材７２を移動させている使用者にはクリック感が与えられる。また、このとき、ベース部７２１の端部は貫通孔３２７ａに挿入される。これにより、天井扉７を開けることができない状態になる。一対の突起部７２４ａ−１及び突起部７２４ａ−２が一対の窪み部７１６ｂ−１，７１６ｂ−２に配置されると、爪部７２２が第１側壁７１１ａ側の開口７１６ａの側壁の近傍に配置される。これにより、さらに固定部材７２が第１側壁７１１ａ側に移動されようとしても、爪部７２２が開口７１６ａのこの側壁に衝突するため固定部材７２を移動させることができない。このように、固定部材７２は必要以上に固定部材取付部７１６内で第１側壁７１１ａ側に移動できないようになっている。
【０１４１】
以上説明したように、本実施形態によるペット収容具１は、開口３３が開放状態及び閉鎖状態のいずれの状態に維持される場合にも本体部３に固定される側壁扉５を備えている。つまり、ペット収容具１は、側壁部３１及び天井部３２のいずれにも固定できる側壁扉５を備えている。これにより、ペット収容具１は、側壁扉５を側壁部３１に固定することによってペットハウスとしての使用態様とすることができ、側壁扉５を天井部３２に固定することによってペットキャリーとしての使用態様とすることができる。このように、ペット収容具１は、ペットハウス及びペットキャリーを兼用できる。
【０１４２】
ペット収容具１は、ペットハウス及びペットキャリーを兼用できるので、ペットキャリーを収納する収納場所を確保する必要がなく、さらにペットを収容した状態で他所に移動することができる。
【０１４３】
次に、本実施形態の変形例によるペット収容具１について図１７から図１９を用いて説明する。図１７は、図１から図１６に示す本実施形態によるペット収容具１の側壁扉５及び天井扉７の開閉操作を模式的に示す図である。図１８は、本実施形態による変形例１によるペット収容具１の側壁扉５及び天井扉７の開閉操作を模式的に示す図である。図１８は、本実施形態による変形例２によるペット収容具１の側壁扉５及び天井扉７の開閉操作を模式的に示す図である。
【０１４４】
図１７（ａ）に示すように、上述のペット収容具１が、側壁扉５で開口３３（図１７では不図示）が塞がれ天井扉７で開口３５（図１７では不図示）が塞がれて、ペットキャリーとしての使用態様であるとする。ここで、ペット収容具１をペットハウスの使用態様に変更させるためには、図１７（ｂ）に示すように、軸部７１３ａを回転軸として天井扉７を矢印Ｙ１で示す方向に回転させて立ち上げる。なお、図１７並びに後述の図１８及び図１９では、理解を容易にするため、側壁扉５及び天井扉７の移動前の状態が破線で示されている。
【０１４５】
次に、図１７（ｃ）に示すように、第１軸部５１２ａを回転軸として側壁扉５を矢印Ｙ２で示す方向に回転させて、側壁扉５で開口３５を塞いだ状態で本体部３（図１７では不図示）に配置する。次に、図１７（ｄ）に示すように、軸部７１３ａを回転軸として天井扉７を矢印Ｙ３で示す方向に回転させて側壁扉５上に配置し、天井扉５を本体部３に固定する。これにより、ペット収容具１はペットキャリーの使用態様に変更される。
【０１４６】
次に、本実施形態の変形例１によるペット収容具１をペットキャリーの使用態様から、ペットハウスの使用態様に変更させる方法を説明する。図１８（ａ）に示すように、変形例１によるペット収容具１では、図１７に示すペット収容具１と同様に、ペットキャリーの使用態様では、側壁扉５で開口３３（図１８では不図示）が塞がれ天井扉７で開口３５（図１８では不図示）が塞がれている。
【０１４７】
ここで、変形例１によるペット収容具１をペットハウスの使用態様に変更させるためには、図１８（ｂ）に示すように、軸部７１３ａを回転軸として天井扉７を矢印Ｙ１で示す方向に立ち上げる。
【０１４８】
変形例１によるペット収容具１は、側壁扉５をスライドさせて開口３５を塞ぐことができるようになっている。このため、図１８（ｃ）に示すように、第１軸部５１２ａを回転軸として側壁扉５を矢印Ｙ２で示す方向に回転させて、側壁扉５をほぼ水平な状態にする。
【０１４９】
次に、図１８（ｄ）に示すように、開口３５を塞ぐために側壁扉５を矢印Ｙ３で示す方向にスライドさせる。側壁扉５が開口３５を塞いだら、軸部７１３ａを回転軸として天井扉５を矢印Ｙ４で示す方向に回転させて側壁扉５上に配置し、天井扉５を本体部３（図１８では不図示）に固定する。これにより、変形例１によるペット収容具１はペットキャリーの使用態様に変更される。変形例１によるペット収容具１は、内部空間３４（図１８では不図示）に向けられる側壁扉５の面が常に同一であるため、ペット収容具１に収容されたペットに側壁扉５の外表面が汚されることを防止できる。
【０１５０】
次に、本実施形態の変形例２によるペット収容具１をペットキャリーの使用態様から、ペットハウスの使用態様に変更させる方法を説明する。変形例２によるペット収容具１では、側壁扉５と天井扉７とが継ぎ手部８で連結されている。
【０１５１】
図１９（ａ）に示すように、変形例２によるペット収容具１では、図１７に示すペット収容具１と同様に、ペットキャリーの使用態様では、側壁扉５で開口３３（図１７では不図示）が塞がれ天井扉７で開口３５（図１７では不図示）が塞がれている。
【０１５２】
ここで、変形例２によるペット収容具１をペットハウスの使用態様に変更させるためには、図１９（ｂ）に示すように、軸部７１３ａを回転軸として天井扉７を矢印Ｙ１で示す方向に移動させる。天井扉７を矢印Ｙ１で示す方向に移動させることにより、継ぎ手部８も天井扉７に連動して矢印Ｙ１の方向に移動する。側壁扉５は開口３３に沿って上面側にスライドするようになっている。このため、側壁扉５は、矢印Ｙ２で示す方向にスライドされる。なお、継ぎ手部８は、側壁扉５に設けられた第１軸部５１２ａによって側壁扉５に対して回転自在に側壁扉５に取り付けられている。また、継ぎ手部８は、天井扉７に設けられた軸部７１９によって天井扉７に対して回転自在に天井扉７に取り付けられている。
【０１５３】
次に、図１９（ｃ）に示すように、軸部７１３ａを回転軸として天井扉７を矢印Ｙ３で示す方向に移動させ立ち上げる。天井扉７を矢印Ｙ３で示す方向に移動させ立ち上げることにより、継ぎ手部８は背面側に移動する。側壁扉５は開口３５に沿って背面側にスライドするようになっている。このため、側壁扉５は、背面側にスライドされ、天井扉７と対向して配置される。
【０１５４】
次に、図１９（ｄ）に示すように、軸部７１３ａを回転軸として天井扉７及び側壁扉５を矢印Ｙ４で示す方向に回転させて側壁扉５上に天井扉７が配置された状態で開口３５を塞ぎ、天井扉７が本体部３に固定される。これにより、変形例２によるペット収容具１はペットキャリーの使用態様に変更される。
【０１５５】
本考案は、上記実施形態に限らず種々の変形が可能である。
上記実施形態では、側壁扉５は開口３５を塞いだ状態で本体部３に固定されるようになっているが、本考案はこれに限られない。例えば、ペット収容具は、側壁扉は本体部から取り外しができるようになっており、かつ本体部の外表面に側壁扉を取り付ける取付部を有していてもよい。ペット収容具は、ペットハウスとして使用される場合には、側壁扉が取り外されて側壁部の開口を開放状態とするとともに本体部の取付部に取り付けられて固定され、かつ天井扉で天井部の開口が塞がれる。また、ペット収容具は、ペットキャリーとして使用される場合には、側壁扉で側壁部の開口が塞がれ、かつ天井扉で天井部の開口が塞がれる。これにより、このペット収容具は、上記実施形態によるペット収容具１と同様の効果が得られる。
【０１５６】
上記の実施形態は、本考案の技術的思想を具体化するための装置を例示するものであって、本考案の技術的思想は、構成部品の材質、形状、構造、配置等を上記のものに特定するものでない。本考案の技術的思想は、実用新案登録請求の範囲に記載された請求項が規定する技術的範囲内において、種々の変更を加えることができる。
【符号の説明】
【０１５７】
１  ペット収容具
２  給水ボトル取付部品
３  本体部
３ａ  上本体
３ｂ  下本体
４  固定部品
５  側壁扉
６  脚部
７  天井扉
９  ハンドル
１０  外部空間
２０  水供給部
２１  支持部
２２  水流出部
３１  側壁部
３２  天井部
３３，３５，５１９，５４５ｄ，７１６ａ，７１６ｄ  開口
３４  内部空間
４３ｂ，５３ｂ，５５ｂ  ツマミ部
５１  枠部
５２  中央扉
５３，５５  施錠機構
５３ａ，５５ａ  構成要素群
５４  施錠機構取付部
７１  平板部
７２，７３  固定部材
８１ａ  第１扉固定部
８１ｂ  第２扉固定部
３０１  底板部
３０１ａ  脚部取付部
３０２  周壁部
３０２ａ  傾斜領域
３０３  上本体受部
３１１，３１２，３１３  貫通長孔
３２４ａ−１，３２４ａ−２，３２４ｂ−１，３２４ｂ−２，３２７ａ，３２７ｂ，５５３ｄ，５５７ａ，７２７ｂ  貫通孔
３１５  裾部
３１６ａ，３１６ｂ，３２８ａ，３２８ｂ，５１８ａ，５１８ｂ  軸孔
３１７ａ，３１７ｂ，３２２ａ，３２２，３２５，５１４ａ，５１４ｂ，７１２ａ，７１２ｂ  端面
３１８ａ，３１８ｂ，３２３ａ，３２３ｂ  庇部
３２１  ハンドル載置部
３２６ａ，３２６ｂ  段差部
３５１，５３１  カバー部
３５３，３５３ａ，３５９ａ，５３５ａ，５３９ａ，７２１  ，７３１  ベース部
５１１ａ  第１外壁
５１１ｂ  第２外壁
５１２ａ  第１軸部
５１２ｂ  第２軸部
５１３ａ  第１内壁
５１３ｂ  第２内壁
５１７ａ，５１７ｂ  扉取付部
５２１  主面部
５２２  二股部
５２２ａ，５２２ｂ  凸部
５２３ａ  第１軸部
５２３ｂ  第２軸部
５２４ａ  第１側壁部
５２４ｂ  第２側壁部
５３２ａ  第１円柱状部
５３２ｂ  第２円柱状部
５３３ａ，５３３ｂ  弾性部材
５３４ａ，５３４ｂ  移動防止部材
５３５  ツマミ取付部
５３５ｂ  中央筒部
５３５ｃ  円弧状突起部
５３５ｄ  第１周縁筒部
５３５ｅ  第２周縁筒部
５３５ｆ，５３５ｇ，５３５ｈ，５３５ｉ  括れ部
５３５Ｈ１  第１周縁孔
５３５Ｈ２  第２周縁孔
５３５Ｈｃ  中央孔
５３６ａ，５３６ｂ  可動規制部
５３７ａ，５３７ｂ  第１突起部
５３８ａ，５３８ｂ  第２突起部
５３９ｂ，７２３  ツマミ部材
５３９ｃ  筒状部
５３９ｄ，５４７  ねじ穴
５３９ｅ，５３９ｆ  直方体部
５４１  縁部
５４２ａ，５４２ｂ  第３リブ
５４４ａ，５４４ｂ  第２リブ
５４５  ツマミ配置部
５４５ａ，５４５ｂ  突起部
５４５ｃ  ツマミ挿入部
５４６ａ，５４６ｂ  第１リブ
５５１  板状部
５５２  棒状部
５５２ｃ  凹部
５５３  回転部材
５５３ａ  円弧状突起部
５５３ｂ  平板部
５５３ｃ  軸部
５５５  第１Ｌ字状突起
５５６  第２Ｌ字状突起
５５７  ツマミ取付部
５５８  弾性部材
７１１ａ  第１側壁
７１１ｂ  第２側壁
７１３ａ，７１３ｂ，７１９  軸部
７１４ａ  凹部７１４ｂ  凹部７１５  凹部
７１６  固定部材取付部
７１６ｂ−１，７１６ｂ−２，７１６ｃ−１，７１６ｃ−２  窪み部
７１７  固定部材取付部
７２２  爪部
７２４ａ−１，７２４ａ−２  突起部
【図１】
0003202807.tif 000003
【図２】
0003202807.tif 000004
【図３】
0003202807.tif 000005
【図４】
0003202807.tif 000006
【図５】
0003202807.tif 000007
【図６】
0003202807.tif 000008
【図７】
0003202807.tif 000009
【図８】
0003202807.tif 000010
【図９】
0003202807.tif 000011
【図１０】
0003202807.tif 000012
【図１１】
0003202807.tif 000013
【図１２】
0003202807.tif 000014
【図１３】
0003202807.tif 000015
【図１４】
0003202807.tif 000016
【図１５】
0003202807.tif 000017
【図１６】
0003202807.tif 000018
【図１７】
0003202807.tif 000019
【図１８】
0003202807.tif 000020
【図１９】
0003202807.tif 000021